(57)【要約】  基地局と端末が通信する無線通信システムにおいて、基地局が端末に対する制御情報を効率的に通知する。基地局装置は、ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングし、移動局装置は、そのＥＰＤＣＣＨの候補をモニタリングする。ＥＰＤＣＣＨの候補は、少なくとも、第１のＥＰＤＣＣＨセットでＥＰＤＣＣＨ送信のために設定される物理リソースブロックペアの１つにおいて、所定の基準を満たすリソースエレメントの数に基づいて決定される。
2014069598.tif 000002
【特許請求の範囲】
【請求項１】
基地局装置と通信する移動局装置であって、
ＲＲＣシグナリングにより設定される第１のＥＰＤＣＣＨセットおよび第２のＥＰＤＣＣＨセットのそれぞれに含まれるＥＰＤＣＣＨの候補をモニタリングするＥＰＤＣＣＨ処理部を備え、
前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする移動局装置。
【請求項２】
前記所定の基準を満たすリソースエレメントの数が所定数より小さい場合、前記ＥＰＤＣＣＨの候補は第１のＥＰＤＣＣＨ候補数に基づいて決定されることを特徴とする請求項１に記載の移動局装置。
【請求項３】
前記所定の基準を満たすリソースエレメントの数が所定数以上である場合、前記ＥＰＤＣＣＨの候補は第２のＥＰＤＣＣＨ候補数に基づいて決定されることを特徴とする請求項２に記載の移動局装置。
【請求項４】
前記所定数は１０４であることを特徴とする請求項２または請求項３に記載の移動局装置。
【請求項５】
前記所定の基準を満たすリソースエレメントは、
前記物理リソースブロックペアにおいて、１つのサブフレーム内の最初のスロットにおけるリソースエレメントのＯＦＤＭシンボル番号が前記第１のＥＰＤＣＣＨセットに対して設定される値以上であることを少なくとも満たすリソースエレメントであることを特徴とする請求項１に記載の移動局装置。
【請求項６】
前記所定の基準を満たすリソースエレメントは、
前記物理リソースブロックペアにおける拡張リソースエレメントグループのリソースであり、セル固有参照信号またはＣＳＩ参照信号のために用いられないと想定されることを少なくとも満たすリソースエレメントであることを特徴とする請求項１に記載の移動局装置。
【請求項７】
前記ＥＰＤＣＣＨの候補は、さらに、サイクリックプレフィックスの種類と、サブフレームの種類と、モニタリングするＤＣＩフォーマットとに基づいて決定されることを特徴とする請求項１に記載の移動局装置。
【請求項８】
前記第１のＥＰＤＣＣＨ候補数は第１のアグリゲーションレベルの組み合わせに対して定義され、前記第２のＥＰＤＣＣＨ候補数は第２のアグリゲーションレベルの組み合わせに対して定義されることを特徴とする請求項３に記載の移動局装置。
【請求項９】
前記第１のアグリゲーションレベルの組み合わせはアグリゲーションレベル１を含まず、前記第２のアグリゲーションレベルの組み合わせはアグリゲーションレベル１を含むことを特徴とする請求項８に記載の移動局装置。
【請求項１０】
移動局装置と通信する基地局装置であって、
ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングするＥＰＤＣＣＨ生成部を備え、
前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする基地局装置。
【請求項１１】
前記所定の基準を満たすリソースエレメントの数が所定数より小さい場合、前記ＥＰＤＣＣＨの候補は第１のＥＰＤＣＣＨ候補数に基づいて決定されることを特徴とする請求項１０に記載の基地局装置。
【請求項１２】
前記所定の基準を満たすリソースエレメントの数が所定数以上である場合、前記ＥＰＤＣＣＨの候補は第２のＥＰＤＣＣＨ候補数に基づいて決定されることを特徴とする請求項１１に記載の基地局装置。
【請求項１３】
前記所定数は１０４であることを特徴とする請求項１１または請求項１２に記載の基地局装置。
【請求項１４】
前記所定の基準を満たすリソースエレメントは、
前記物理リソースブロックペアにおいて、１つのサブフレーム内の最初のスロットにおけるリソースエレメントのＯＦＤＭシンボル番号が前記第１のＥＰＤＣＣＨセットに対して設定される値以上であることを少なくとも満たすリソースエレメントであることを特徴とする請求項１０に記載の基地局装置。
【請求項１５】
前記所定の基準を満たすリソースエレメントは、
前記物理リソースブロックペアにおける拡張リソースエレメントグループのリソースであり、セル固有参照信号またはＣＳＩ参照信号のために用いられないと想定されることを少なくとも満たすリソースエレメントであることを特徴とする請求項１０に記載の基地局装置。
【請求項１６】
前記ＥＰＤＣＣＨの候補は、さらに、サイクリックプレフィックスの種類と、サブフレームの種類と、モニタリングするＤＣＩフォーマットとに基づいて決定されることを特徴とする請求項１０に記載の基地局装置。
【請求項１７】
前記第１のＥＰＤＣＣＨ候補数は第１のアグリゲーションレベルの組み合わせに対して定義され、前記第２のＥＰＤＣＣＨ候補数は第２のアグリゲーションレベルの組み合わせに対して定義されることを特徴とする請求項１２に記載の基地局装置。
【請求項１８】
前記第１のアグリゲーションレベルの組み合わせはアグリゲーションレベル１を含まず、前記第２のアグリゲーションレベルの組み合わせはアグリゲーションレベル１を含むことを特徴とする請求項１７に記載の基地局装置。
【請求項１９】
基地局装置と通信する移動局装置の通信方法であって、
ＲＲＣシグナリングにより設定される第１のＥＰＤＣＣＨセットおよび第２のＥＰＤＣＣＨセットのそれぞれに含まれるＥＰＤＣＣＨの候補をモニタリングし、
前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする通信方法。
【請求項２０】
移動局装置と通信する基地局装置の通信方法であって、
ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングし、
前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする通信方法。
【請求項２１】
基地局装置と通信する移動局装置に実装される集積回路であって、
ＲＲＣシグナリングにより設定される第１のＥＰＤＣＣＨセットおよび第２のＥＰＤＣＣＨセットのそれぞれに含まれるＥＰＤＣＣＨの候補をモニタリングする機能を含む一連の機能を前記移動局装置に発揮させ、
前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする集積回路。
【請求項２２】
移動局装置と通信する基地局装置に実装される集積回路であって、
ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングする機能を含む一連の機能を前記基地局装置に発揮させ、
前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする集積回路。
【発明の詳細な説明】
【技術分野】
【０００１】
本発明は、基地局、端末、通信システム、通信方法および集積回路に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局（セル、送信局、送信装置、ｅＮｏｄｅＢ）および端末（移動端末、受信局、移動局、受信装置、ＵＥ（Ｕｓｅｒ  Ｅｑｕｉｐｍｅｎｔ））は、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術を用いることにより、データ信号を空間多重し、高速なデータ通信を実現する。【０００３】
このような無線通信システムにおいて、基地局は、端末に対して下りリンクデータ（下りリンク共用チャネル（ＤＬ−ＳＣＨ；Ｄｏｗｎｌｉｎｋ  Ｓｈａｒｅｄ  Ｃｈａｎｎｅｌ）に対するトランスポートブロック）を送信する場合、基地局と端末との間において既知の信号である復調用参照信号（ＤＭＲＳ；Ｄｅｍｏｄｕｌａｔｉｏｎ  Ｒｅｆｅｒｅｎｃｅ  Ｓｉｇｎａｌｓとも呼称される）を多重して送信する。ここで、復調用参照信号は、ユーザー装置スペシフィック参照信号（ＵＥ−ｓｐｅｃｉｆｉｃ  ＲＳ、端末固有（特有）のＲＳ）とも呼称される。【０００４】
例えば、ＤＭＲＳは、プレコーディング処理が適用される前に、下りリンクデータと多重される。そのため、端末は、ＤＭＲＳを用いることによって、適用されたプレコーディング処理および伝送路状態を含めた等化チャネルを測定することができる。すなわち、端末は、基地局によって適用されたプレコーディング処理を通知されなくても、下りリンクデータを復調することができる。【０００５】
ここで、下りリンクデータは、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）にマップされる。すなわち、参照信号は、ＰＤＳＣＨの復調に使用される。また、例えば、参照信号は、対応するＰＤＳＣＨがマップされるリソースブロック（物理リソースブロック、リソースとも呼称される）でのみ送信される。【０００６】
ここで、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）を用いた無線通信システムが検討されている。図９は、ヘテロジーニアスネットワーク配置を用いた無線通信システムの概要図である。図１３に示すように、例えば、ヘテロジーニアスネットワークは、マクロ基地局９０１、ＲＲＨ９０２、ＲＲＨ９０３によって構成される。【０００７】
図１４において、マクロ基地局１４０１はカバレッジ１４０５を構築し、ＲＲＨ１４０２およびＲＲＨ１４０３はそれぞれカバレッジ１４０６およびカバレッジ１４０７を構築している。また、マクロ基地局１４０１は、ＲＲＨ１４０２と回線１４０８を通じて接続しており、ＲＲＨ１４０３と回線１４０９を通じて接続している。これにより、マクロ基地局１４０１は、ＲＲＨ１４０２およびＲＲＨ１４０３と、データ信号や制御信号（制御情報）を送受信することができる。ここで、例えば、回線１４０８および回線１４０９には、光ファイバ等の有線回線やリレー技術を用いた無線回線が利用される。この際、マクロ基地局１４０１、ＲＲＨ１４０２、ＲＲＨ１４０３の一部または全てが、同一のリソースを用いることで、カバレッジ１４０５のエリア内の総合的な周波数利用効率（伝送容量）を向上することができる。【０００８】
また、端末１４０４は、カバレッジ１４０６の中に位置している場合、ＲＲＨ１４０２とシングルセル通信を行うことができる。また、端末１４０４がカバレッジ１４０６の端付近（セルエッジ）に位置する場合、マクロ基地局１４０１からの同一チャネルの干渉に対する対策が必要になる。ここで、マクロ基地局１４０１とＲＲＨ１４０２とのマルチセル通信（協調通信）として、隣接基地局間で互いに協調する基地局間協調通信を行うことによって、セルエッジ領域の端末１４０４に対する干渉を軽減または抑圧する方法が検討されている。例えば、基地局間協調通信による干渉の軽減または抑圧に対する方式として、ＣｏＭＰ（Ｃｏｏｐｅｒａｔｉｖｅ  Ｍｕｌｔｉｐｏｉｎｔ）伝送方式などが検討されている（非特許文献１）。
【先行技術文献】
【非特許文献】
【０００９】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｃｏｏｒｄｉｎａｔｅｄ  ｍｕｌｔｉ−ｐｏｉｎｔ  ｏｐｅｒａｔｉｏｎ  ｆｏｒ  ＬＴＥ  ｐｈｙｓｉｃａｌ  ｌａｙｅｒ  ａｓｐｅｃｔｓ  （Ｒｅｌｅａｓｅ  １１）、２０１１年９月、３ＧＰＰ  ＴＲ  ３６．８１９  Ｖ１１．０．０  （２０１１−０９）。
【発明の概要】
【発明が解決しようとする課題】
【００１０】
しかしながら、ヘテロジーニアスネットワーク配置および／またはＣｏＭＰ伝送方式等において、基地局から端末に対する制御情報の通知方法として従来方法を用いる場合、制御情報の通知領域のキャパシティの問題が生じる。その結果、基地局から端末に対する制御情報を効率的に通知することが出来ないため、基地局と端末との通信における伝送効率の向上が妨げられる要因となる。【００１１】
本発明は、上記問題を鑑みてなされたものであり、その目的は、基地局と端末が通信する通信システムにおいて、基地局が端末に対する制御情報を効率的に通知することができる基地局、端末、通信システム、通信方法および集積回路を提供することにある。
【課題を解決するための手段】
【００１２】
（１）上記の課題を解決するために、本発明は、以下のような手段を講じた。本発明の一態様による移動局装置は、基地局装置と通信する移動局装置であって、ＲＲＣシグナリングにより設定される第１のＥＰＤＣＣＨセットおよび第２のＥＰＤＣＣＨセットのそれぞれに含まれるＥＰＤＣＣＨの候補をモニタリングするＥＰＤＣＣＨ処理部を備え、前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする。【００１３】
（２）また、本発明の一態様による移動局装置は、前記所定の基準を満たすリソースエレメントの数が所定数より小さい場合、前記ＥＰＤＣＣＨの候補は第１のＥＰＤＣＣＨ候補数に基づいて決定されることを特徴とする。【００１４】
（３）また、本発明の一態様による移動局装置は、前記所定の基準を満たすリソースエレメントの数が所定数以上である場合、前記ＥＰＤＣＣＨの候補は第２のＥＰＤＣＣＨ候補数に基づいて決定されることを特徴とする。【００１５】
（４）また、本発明の一態様による移動局装置は、前記所定数は１０４であることを特徴とする。【００１６】
（５）また、本発明の一態様による移動局装置は、前記所定の基準を満たすリソースエレメントは、前記物理リソースブロックペアにおいて、１つのサブフレーム内の最初のスロットにおけるリソースエレメントのＯＦＤＭシンボル番号が前記第１のＥＰＤＣＣＨセットに対して設定される値以上であることを少なくとも満たすリソースエレメントであることを特徴とする。【００１７】
（６）また、本発明の一態様による移動局装置は、前記所定の基準を満たすリソースエレメントは、前記物理リソースブロックペアにおける拡張リソースエレメントグループのリソースであり、セル固有参照信号またはＣＳＩ参照信号のために用いられないと想定されることを少なくとも満たすリソースエレメントであることを特徴とする。【００１８】
（７）また、本発明の一態様による移動局装置は、前記ＥＰＤＣＣＨの候補は、さらに、サイクリックプレフィックスの種類と、サブフレームの種類と、モニタリングするＤＣＩフォーマットとに基づいて決定されることを特徴とする。【００１９】
（８）また、本発明の一態様による移動局装置は、前記第１のＥＰＤＣＣＨ候補数は第１のアグリゲーションレベルの組み合わせに対して定義され、前記第２のＥＰＤＣＣＨ候補数は第２のアグリゲーションレベルの組み合わせに対して定義されることを特徴とする。【００２０】
（９）また、本発明の一態様による移動局装置は、前記第１のアグリゲーションレベルの組み合わせはアグリゲーションレベル１を含まず、前記第２のアグリゲーションレベルの組み合わせはアグリゲーションレベル１を含むことを特徴とする。【００２１】
（１０）本発明の一態様による基地局装置は、移動局装置と通信する基地局装置であって、ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングするＥＰＤＣＣＨ生成部を備え、前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする。【００２２】
（１１）また、本発明の一態様による基地局装置は、前記所定の基準を満たすリソースエレメントの数が所定数より小さい場合、前記ＥＰＤＣＣＨの候補は第１のＥＰＤＣＣＨ候補数に基づいて決定されることを特徴とする。【００２３】
（１２）また、本発明の一態様による基地局装置は、前記所定の基準を満たすリソースエレメントの数が所定数以上である場合、前記ＥＰＤＣＣＨの候補は第２のＥＰＤＣＣＨ候補数に基づいて決定されることを特徴とする。【００２４】
（１３）また、本発明の一態様による基地局装置は、前記所定数は１０４であることを特徴とする。【００２５】
（１４）また、本発明の一態様による基地局装置は、前記所定の基準を満たすリソースエレメントは、前記物理リソースブロックペアにおいて、１つのサブフレーム内の最初のスロットにおけるリソースエレメントのＯＦＤＭシンボル番号が前記第１のＥＰＤＣＣＨセットに対して設定される値以上であることを少なくとも満たすリソースエレメントであることを特徴とする。【００２６】
（１５）また、本発明の一態様による基地局装置は、前記所定の基準を満たすリソースエレメントは、前記物理リソースブロックペアにおける拡張リソースエレメントグループのリソースであり、セル固有参照信号またはＣＳＩ参照信号のために用いられないと想定されることを少なくとも満たすリソースエレメントであることを特徴とする。【００２７】
（１６）また、本発明の一態様による基地局装置は、前記ＥＰＤＣＣＨの候補は、さらに、サイクリックプレフィックスの種類と、サブフレームの種類と、モニタリングするＤＣＩフォーマットとに基づいて決定されることを特徴とする。【００２８】
（１７）また、本発明の一態様による基地局装置は、前記第１のＥＰＤＣＣＨ候補数は第１のアグリゲーションレベルの組み合わせに対して定義され、前記第２のＥＰＤＣＣＨ候補数は第２のアグリゲーションレベルの組み合わせに対して定義されることを特徴とする。【００２９】
（１８）また、本発明の一態様による基地局装置は、前記第１のアグリゲーションレベルの組み合わせはアグリゲーションレベル１を含まず、前記第２のアグリゲーションレベルの組み合わせはアグリゲーションレベル１を含むことを特徴とする。【００３０】
（１９）本発明の一態様による通信方法は、基地局装置と通信する移動局装置の通信方法であって、ＲＲＣシグナリングにより設定される第１のＥＰＤＣＣＨセットおよび第２のＥＰＤＣＣＨセットのそれぞれに含まれるＥＰＤＣＣＨの候補をモニタリングし、前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする。【００３１】
（２０）本発明の一態様による通信方法は、移動局装置と通信する基地局装置の通信方法であって、ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングし、前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする。【００３２】
（２１）本発明の一態様による集積回路は、基地局装置と通信する移動局装置に実装される集積回路であって、ＲＲＣシグナリングにより設定される第１のＥＰＤＣＣＨセットおよび第２のＥＰＤＣＣＨセットのそれぞれに含まれるＥＰＤＣＣＨの候補をモニタリングする機能を含む一連の機能を前記移動局装置に発揮させ、前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする。【００３３】
（２２）本発明の一態様による集積回路は、移動局装置と通信する基地局装置に実装される集積回路であって、ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングする機能を含む一連の機能を前記基地局装置に発揮させ、前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする。
【発明の効果】
【００３４】
この発明によれば、基地局と端末が通信する無線通信システムにおいて、基地局が端末に対する制御情報を効率的に通知することができる。
【図面の簡単な説明】
【００３５】
【図１】本発明の実施形態に係る基地局の構成を示す概略ブロック図である。
【図２】本発明の実施形態に係る端末の構成を示す概略ブロック図である。
【図３】基地局が送信するサブフレームの一例を示す図である。
【図４】基地局がマッピングする１つのリソースブロックペアの一例を示す図である。
【図５】１つのＲＢペアにおけるＥＲＥＧ構成を示す。
【図６】１つのＲＢペアにおけるＥＲＥＧ番号に対するリソースエレメントの組み合わせを示す図である。
【図７】１つのＥＰＤＣＣＨセットが設定された場合のＥＰＤＣＣＨ候補数の組み合わせの例を示す図である。
【図８】２つのＥＰＤＣＣＨセットが設定された場合のＥＰＤＣＣＨ候補数の組み合わせの例を示す図である。
【図９】２つのＥＰＤＣＣＨセットが設定された場合のＥＰＤＣＣＨ候補数の組み合わせの例を示す図である。
【図１０】２つのＥＰＤＣＣＨセットが設定された場合のＥＰＤＣＣＨ候補数の組み合わせの例を示す図である。
【図１１】２つのＥＰＤＣＣＨセットが設定された場合のＥＰＤＣＣＨ候補数の組み合わせの例を示す図である。
【図１２】２つのＥＰＤＣＣＨセットが設定された場合のＥＰＤＣＣＨ候補数の組み合わせの例を示す図である。
【図１３】２つのＥＰＤＣＣＨセットが設定された場合のＥＰＤＣＣＨ候補数の組み合わせの例を示す図である。
【図１４】ヘテロジーニアスネットワーク配置を用いた無線通信システムの概要図である。
【発明を実施するための形態】
【００３６】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、インタリーブ分割多重アクセス（ＩＤＭＡ）、およびその他のシステムの通信システムにおいて使用され得る。用語「システム」及び「ネットワーク」は、しばしば同義的に使用され得る。第３世代パートナーシッププロジェクト（３ＧＰＰ）は、ＬＴＥ（Ｌｏｎｇ  Ｔｅｒｍ  Ｅｖｏｌｕｔｉｏｎ）およびＬＴＥ−Ａ（ＬＴＥ−Ａｄｖａｎｃｅｄ）と呼称される通信システムを規格化している。ＬＴＥは、ダウンリンク上でＯＦＤＭＡを、アップリンク上でＳＣ−ＦＤＭＡを採用するＥ−ＵＴＲＡを使用するＵＭＴＳである。ＬＴＥ−Ａは、ＬＴＥを改良したシステム、無線技術、規格である。以下で述べる技術は、ＬＴＥおよび／またはＬＴＥ−Ａで用いられる場合を説明するが、他の通信システムにも適用することができる。また、以下の説明では、ＬＴＥ規格で用いられる用語、ＬＴＥ−Ａ規格で用いられる用語、および３ＧＰＰで用いられる用語が、用いられる。
【００３７】
＜第１の実施形態＞
以下、本発明の実施形態について説明する。本実施形態における通信システムは、基地局および端末を備える。ここで、基地局は、送信装置、セル、送信点、送信アンテナ群、送信アンテナポート群、コンポーネントキャリア、または、ｅＮｏｄｅＢとすることができる。また、基地局は、マクロセル、ピコセル、フェムトセル、スモールセル、ＲＲＨ（Remote Radio Head）、分散アンテナなどを含む。端末は、端末装置、移動端末、受信点、受信端末、受信装置、受信アンテナ群、受信アンテナポート群、または、ＵＥ（User Equipment）とすることができる。また、端末は、セルに固有のパラメータまたは当該端末に固有のパラメータに基づいて基地局（送信点）を識別できる。例えば、端末は、セルに固有の識別子であるセルＩＤ、当該端末に上位レイヤーのシグナリングを通じて設定されるパラメータ（仮想セルＩＤなど）などに基づいて基地局（送信点）を識別できる。
【００３８】
本発明の通信システムにおいて、基地局１００と端末２００とは、データ通信を行うため、下りリンクおよび／または上りリンクを通じて、制御情報および／またはデータを、送信および／または受信する。基地局１００は、下りリンクを通じて、端末２００に、ＰＤＣＣＨ（Physical Downlink Control Channel、物理下りリンク制御チャネル、第１の制御チャネル）、ＥＰＤＣＣＨ（Enhanced PDCCH、拡張物理下りリンク制御チャネル、第２の制御チャネル）、および／または、ＰＤＳＣＨ（Physical Downlink Shared Channel、物理下りリンク共用チャネル）を送信する。制御情報は、ＰＤＣＣＨおよび／またはＥＰＤＣＣＨを通じて送信される。データは、ＰＤＳＣＨを通じて送信される。また、上位レイヤーの制御情報（ＲＲＣシグナリング）は、ＰＤＳＣＨを通じて送信できる。すなわち、データは、上位レイヤーの制御情報を含んで構成できる。一方、端末２００は、上りリンクを通じて、基地局１００に、ＰＵＣＣＨ（Physical Uplink Control Channel、物理上りリンク制御チャネル）、および／または、ＰＵＳＣＨ（Physical Uplink Shared Channel、物理上りリンク共用チャネル）を送信する。制御情報は、ＰＵＣＣＨおよび／またはＰＵＳＣＨを通じて送信される。データは、ＰＵＳＣＨを通じて送信される。ここで、ＰＤＣＣＨ、ＥＰＤＣＣＨ、ＰＤＳＣＨ、ＰＵＣＣＨ、および、ＰＵＳＣＨは、物理チャネルの一種であり、物理フレーム上に規定されるチャネルである。なお、以下の説明では、基地局１００と端末２００とがデータ通信を行う場合を説明するが、基地局および／または端末は複数であってもよい。
【００３９】
＜送受信機構成＞
図１は、本発明の実施形態に係る基地局の構成を示す概略ブロック図である。図１において、基地局１００は、ＰＤＣＣＨ生成部１１０、ＥＰＤＣＣＨ生成部１２０、ＰＤＳＣＨ１３０、参照信号生成部１４１、多重部１５１、送信信号生成部１５２、送信部１５３を含んで構成される。ＰＤＣＣＨ生成部１１０は、符号部１１１、変調部１１２、レイヤー処理部１１３、プリコーディング部１１４を含んで構成される。ＥＰＤＣＣＨ生成部１２０は、符号部１２１、変調部１２２、レイヤー処理部１２３、プリコーディング部１２４を含んで構成される。ＰＤＳＣＨ生成部１３０は、符号部１３１、変調部１３２、レイヤー処理部１３３、プリコーディング部１３４を含んで構成される。なお、図示しないが、基地局１００は制御部を含んで構成し、制御部は基地局１００における様々な処理を制御することができる。
【００４０】
端末２００に対する制御情報（下りリンク制御情報（ＤＣＩ））は、ＰＤＣＣＨ生成部１１０および／またはＥＰＤＣＣＨ生成部１２０に入力される。また、端末２００に対するデータ（トランスポートブロック、コードワード）は、ＰＤＳＣＨ生成部１３０に入力される。ここで、データは、誤り訂正符号化を行う単位とすることができる。また、データは、ＨＡＲＱ（Ｈｙｂｒｉｄ  Ａｕｔｏｍａｔｉｃ  Ｒｅｐｅａｔ  ｒｅＱｕｅｓｔ）等の再送制御を行う単位とすることができる。また、基地局１００は、端末２００に複数の制御情報および／またはデータを送信することができる。
【００４１】
ＰＤＣＣＨ生成部１１０は、入力された制御情報から、ＰＤＣＣＨを生成する。符号部１１１は、入力された制御情報に、ＣＲＣ（Cyclic Redundancy Check）を用いた誤り検出符号化、畳み込み符号などの誤り訂正符号を用いた誤り訂正符号化、および、擬似雑音系列を用いたスクランブル符号化を行う。また、符号部１１１は、ＣＲＣにおけるパリティビット（冗長ビット）に、端末２００に固有の識別子（ＵＥ−ＩＤ、ＲＮＴＩ（Radio Network Temporary ID））を用いてスクランブルを行う。また、符号部１１１は、所定の方法を用いて符号化率を制御することができる。変調部１１２は、符号部１１１が生成した信号に対して、ＱＰＳＫ（Quadrature Phase Shift Keying）などの変調方式を用いて変調を行う。レイヤー処理部１１３は、変調部１１２が生成した信号に対して、レイヤーマッピングなどのレイヤー処理を行う。レイヤー処理部１１３におけるレイヤーマッピングは、入力された信号を、１つ以上のレイヤーのそれぞれにマッピング（割り当て）を行う。プリコーディング部１１４は、レイヤー処理部１１３が生成した信号に対して、所定の方法を用いてプリコーディング処理を行い、アンテナポート毎の信号を生成する。例えば、プリコーディング部１１４は、周波数ダイバーシチ効果が得られるプリコーディング処理を行う。ＰＤＣＣＨ生成部１１０において、ＰＤＣＣＨのレイヤー数とアンテナポート数は同数にすることができる。ＰＤＣＣＨは、アンテナポート０〜３の一部または全部を用いて送信できる。
【００４２】
ＥＰＤＣＣＨ生成部１２０は、入力された制御情報から、ＥＰＤＣＣＨを生成する。符号部１２１は、入力された制御情報に、ＣＲＣ（Cyclic Redundancy Check）を用いた誤り検出符号化、畳み込み符号などの誤り訂正符号を用いた誤り訂正符号化、および、擬似雑音系列を用いたスクランブル符号化を行う。また、符号部１２１は、ＣＲＣにおけるパリティビットに、端末２００に固有の識別子を用いてスクランブルを行う。また、符号部１２１は、所定の方法を用いて符号化率を制御することができる。変調部１２２は、符号部１２１が生成した信号に対して、ＱＰＳＫなどの変調方式を用いて変調を行う。レイヤー処理部１２３は、変調部１２２が生成した信号に対して、レイヤーマッピングなどのレイヤー処理を行う。レイヤー処理部１２３におけるレイヤーマッピングは、入力された信号を、１つ以上のレイヤーのそれぞれにマッピング（割り当て）を行う。プリコーディング部１２４は、レイヤー処理部１２３が生成した信号に対して、所定の方法を用いて、プリコーディング処理を行い、アンテナポート毎の信号を生成する。例えば、プリコーディング部１２４は、周波数ダイバーシチ効果および／または周波数スケジューリング効果が得られるプリコーディング処理を行う。ＥＰＤＣＣＨ生成部１２０において、ＥＰＤＣＣＨのレイヤー毎の信号とアンテナポート毎の信号は同じにすることができる。ＥＰＤＣＣＨは、アンテナポート１０７〜１１０の一部または全部を用いて送信できる。また、ＥＰＤＣＣＨ生成部１２０は、プレコーディング部１２４が生成したＥＰＤＣＣＨを、所定のリソースエレメントにマッピングをすることができる。
【００４３】
また、ＰＤＳＣＨ生成部１３０は、入力されたデータから、ＰＤＳＣＨを生成する。なお、データは上位レイヤーなどから入力される。符号部１３１は、入力されたデータに、擬似雑音系列を用いたスクランブル符号化、および、ターボ符号などの誤り訂正符号を用いた誤り訂正符号化を行う。また、符号部１３１は、所定の方法を用いて符号化率を制御することができる。変調部１３２は、符号部１３１が生成した信号に対して、ＱＰＳＫまたはＱＡＭ（Quadrature Amplitude Modulation）などの変調方式を用いて変調を行う。レイヤー処理部１３３は、変調部１３２が生成した信号に対して、レイヤーマッピングなどのレイヤー処理を行う。レイヤー処理部１３３におけるレイヤーマッピングは、入力された信号を、１つ以上のレイヤーのそれぞれにマッピング（割り当て）を行う。ＰＤＳＣＨに対するレイヤー数は、端末２００に対するＭＩＭＯの多重数（ランク数）で決定される。プリコーディング部１３４は、レイヤー処理部１３３が生成した信号に対して、所定の方法を用いて、プリコーディング処理を行い、アンテナポート毎の信号を生成する。例えば、プリコーディング部１３４は、周波数スケジューリング効果が得られるプリコーディング処理を行う。ＰＤＳＣＨ生成部１３０において、ＰＤＳＣＨのレイヤー毎の信号とアンテナポート毎の信号は同じにすることができる。ＰＤＳＣＨは、アンテナポート７〜１４の一部または全部を用いて送信できる。
【００４４】
参照信号生成部１４１は、基地局１００および端末２００で互いに既知の信号（系列）である参照信号を生成する。参照信号は、アンテナポートのそれぞれに関連付けることができる。参照信号は、セル固有参照信号（ＣＲＳ；Cell-specific RS）、端末固有参照信号（ＵＥＲＳ；UE-specific RS）、ＥＰＤＣＣＨ復調用参照信号（ＤＭ−ＲＳ）、伝送路状況測定用参照信号（ＣＳＩ−ＲＳ；Channel State Information-RS）を含む。セル固有参照信号は、アンテナポート０〜３に関連付けられ、端末２００がＰＤＣＣＨおよびセル固有の信号を復調するために用いることができる。端末固有参照信号は、アンテナポート７〜１４に関連付けられ、端末２００がＰＤＳＣＨを復調するために用いることができる。ＥＰＤＣＣＨ復調用参照信号は、アンテナポート１０７〜１１０に関連付けられ、端末２００がＥＰＤＣＣＨを復調するために用いることができる。伝送路状況測定用参照信号は、アンテナポート１５〜２２に関連付けられ、端末２００が基地局１００に通知する下りリンクの伝搬路状況を測定するために用いることができる。
【００４５】
ここで、アンテナポートとは、信号処理で用いる論理的なアンテナを意味し、１個のアンテナポートは複数の物理的なアンテナから構成されてもよい。同一のアンテナポートを構成する複数の物理的なアンテナは、同一の信号を送信する。同一のアンテナポート内で、複数の物理的なアンテナは、遅延ダイバーシチ、またはＣＤＤ（Cyclic Delay Diversity）を適用することはできる。
【００４６】
参照信号生成部１４１は、それぞれの参照信号に対して、所定の方法を用いてプリコーディング処理を行い、アンテナポート毎の信号を生成する。ここで、それぞれのアンテナポートにおける参照信号は、そのアンテナポートに関連付けられるチャネルと同じプリコーディング処理が行われる。すなわち、セル固有参照信号は、プリコーディング部１１４と同じプリコーディング処理が行われる。ＥＰＤＣＣＨ復調用参照信号は、プリコーディング部１２４と同じプリコーディング処理が行われる。端末固有参照信号は、プリコーディング部１３４と同じプリコーディング処理が行われる。なお、伝送路状況測定用参照信号は、プリコーディング処理を行わなくてもよい。
【００４７】
ここで、プリコーディング処理は、様々な方法を用いることができる。周波数ダイバーシチ効果が得られるプリコーディング処理は、ＳＦＢＣ（Space Frequency Block Coding）、ＳＴＢＣ（Space Time Block Coding）、ＦＳＴＤ（Frequency Switched Transmit Diversity）および／またはＣＤＤ（Cyclic Delay Diversity）などを用いて行うことができる。周波数スケジューリング効果が得られるプリコーディング処理は、所定のプリコーディング行列を乗算して行うことができる。なお、周波数スケジューリング効果が得られるプリコーディング処理は、端末２００が効率よく受信できるように、伝搬路状況を考慮して、位相回転および／または振幅制御などを行うことが好ましい。
【００４８】
多重部１５１は、ＰＤＣＣＨ生成部１１０が生成したＰＤＣＣＨ、ＥＰＤＣＣＨ生成部１２０が生成したＥＰＤＣＣＨ、ＰＤＳＣＨ生成部１３０が生成したＰＤＳＣＨ、および／または、参照信号生成部１４１が生成した参照信号を多重し、リソースエレメントにマッピングする。ここで、リソースエレメントは、１つのＯＦＤＭシンボルと１つのサブキャリアで構成される信号をマッピングする最小の単位である。また、多重部１５１が多重する信号および／またはチャネルは、それぞれ異なるリソースエレメントおよび／またはアンテナポートにマッピングすることにより、互いに直交または準直交することができる。
【００４９】
なお、ＰＤＣＣＨ生成部１１０、ＥＰＤＣＣＨ生成部１２０、ＰＤＳＣＨ生成部１３０、および参照信号生成部１４１は、ＰＤＣＣＨ、ＥＰＤＣＣＨ、ＰＤＳＣＨ、および参照信号を、それぞれ所定のリソースエレメントへマッピングし、多重部１５１はそれらを多重するという構成でもよい。
【００５０】
送信信号生成部１５２は、多重部１５１が多重した信号から送信信号を生成する。送信信号生成部１５２は、多重部１５１が多重した信号に対して、ＩＦＦＴ（Inverse Fast Fourier Transform）により周波数−時間変換し、所定のサイクリックプレフィックス（ＣＰ）長のサイクリックプレフィックス（ガードインターバル）を付加する。なお、複数種類のＣＰ長が規定されることができる。例えば、２種類のＣＰ長が規定される場合、短いＣＰ長のＣＰはノーマルＣＰ（第１のＣＰ）とも呼称され、長いＣＰ長のＣＰは拡張ＣＰ（第２のＣＰ）とも呼称される。
【００５１】
送信信号生成部１５２は、さらにデジタル−アナログ変換、無線周波数帯への周波数変換などを行い、送信信号を生成する。送信部（送信アンテナ）１５３は、１つまたは複数のアンテナポート（送信アンテナポート）から、送信信号生成部１５２が生成した送信信号を送信する。
【００５２】
図２は、本発明の実施形態に係る端末の構成を示す概略ブロック図である。図２において、端末２００は、受信部２０１、受信信号処理部２０２、分離部２０３、伝搬路推定部２０４、ＰＤＣＣＨ処理部２１０、ＥＰＤＣＣＨ処理部２２０、ＰＤＳＣＨ処理部２３０を含んで構成される。ＰＤＣＣＨ処理部２１０は、伝搬路等化部２１１、復調部２１２、復号部２１３を含んで構成される。ＥＰＤＣＣＨ処理部２２０は、伝搬路等化部２２１、復調部２２２、復号部２２３を含んで構成される。ＰＤＳＣＨ処理部２３０は、伝搬路等化部２３１、復調部２３２、復号部２３３を含んで構成される。なお、図示しないが、端末２００は制御部を含んで構成し、制御部は端末２００における様々な処理を制御することができる。
【００５３】
受信部（受信アンテナ）２０１は、１つまたは複数の受信アンテナポートにより、基地局１００が送信した信号を受信する。受信信号処理部２０２は、受信部２０１が受信した信号に対して、無線周波数からベースバンド信号への周波数変換、アナログ−デジタル変換、付加されたサイクリックプレフィックスの除去、ＦＦＴ（Ｆａｓｔ  Ｆｏｕｒｉｅｒ  Ｔｒａｎｓｆｏｒｍ）などによる時間−周波数変換を行う。
【００５４】
分離部２０３は、基地局１００の多重部１５１で多重（マッピング）された信号を分離（デマッピング）する。具体的には、分離部２０３は、所定の方法により、ＰＤＣＣＨ、ＥＰＤＣＣＨ、ＰＤＳＣＨ、および／または参照信号を分離する。ＰＤＣＣＨはＰＤＣＣＨ処理部２１０に入力される。ＥＰＤＣＣＨはＥＰＤＣＣＨ処理部２２０に入力される。ＰＤＳＣＨはＰＤＳＣＨ処理部２３０に入力される。参照信号は伝搬路推定部２０４に入力される。例えば、チャネルまたは信号がマッピングされる可能性のあるリソースが予め規定されている場合、分離部２０３はその規定されたリソースから、当該チャネルまたは当該信号、または、当該チャネルまたは当該信号の候補を分離するかもしれない。また、例えば、チャネルまたは信号がマッピングされる可能性のあるリソースが通知され設定されている場合、分離部２０３はその設定されたリソースから、当該チャネルまたは当該信号、または、当該チャネルまたは当該信号の候補を分離するかもしれない。なお、ＰＤＳＣＨがマッピングされるリソースを示す情報がＰＤＣＣＨおよび／またはＥＰＤＣＣＨを通じて通知される制御情報に含まれる場合、端末２００がその制御情報を検出した後、分離部２０３は制御情報に基づいてＰＤＳＣＨを分離するかもしれない。
【００５５】
伝搬路推定部２０４は、参照信号を用いて、ＰＤＣＣＨ、ＥＰＤＣＣＨ、および／またはＰＤＳＣＨに対する伝搬路推定を行う。ＰＤＣＣＨに対する伝搬路推定は、セル固有参照信号を用いて行われる。ＥＰＤＣＣＨに対する伝搬路推定は、ＥＰＤＣＣＨ復調用参照信号を用いて行われる。ＰＤＳＣＨに対する伝搬路推定は、端末固有参照信号を用いて行われる。伝搬路推定部２０４は、参照信号を用いて、各送信アンテナポートの各受信アンテナポートに対する、それぞれのリソースエレメントにおける振幅と位相の変動（周波数応答、伝達関数）を推定し、伝搬路推定値を求める。伝搬路推定部２０４は、伝搬路推定値を、ＰＤＣＣＨ処理部２１０、ＥＰＤＣＣＨ処理部２２０、および／またはＰＤＳＣＨ処理部２３０に出力する。
【００５６】
ＰＤＣＣＨ処理部２１０は、ＰＤＣＣＨ領域から、端末２００宛のＰＤＣＣＨの候補を探索し、端末２００宛のＰＤＣＣＨを検出し、端末２００宛の制御情報を識別する。伝搬路等化部２１１は、分離部２０３から入力されるＰＤＣＣＨの候補と、伝搬路推定部２０４から入力される伝搬路推定値とを用いて、ＰＤＣＣＨの候補に対する伝搬路等化（伝搬路補償）を行う。復調部２１２は、伝搬路等化部２１１が伝搬路等化した信号に、所定の変調方式に対する復調を行う。復号部２１３は、復号部２１２が復調した信号に、擬似雑音系列を用いた所定のスクランブル符号化に対するスクランブル復号、所定の誤り訂正符号化に対する誤り訂正復号、および、所定の誤り検出符号化に対する誤り検出復号を行う。ここで、誤り訂正復号により得られたＣＲＣパリティビットは、端末２００に固有の識別子を用いてスクランブル復号が行われ、誤り検出復号が行われる。そのため、誤り検出復号により、そのＰＤＣＣＨから誤りが検出されなければ、ＰＤＣＣＨ処理部２１０はそのＰＤＣＣＨを端末２００宛のＰＤＣＣＨとして検出できる。ＰＤＣＣＨ処理部２１０は、検出されたＰＤＣＣＨから制御情報を識別する。その制御情報は端末２００の様々な制御に用いられる。また、ＰＤＣＣＨ処理部２１０は、全てのＰＤＣＣＨの候補に対して処理を行う。
【００５７】
ＥＰＤＣＣＨ処理部２２０は、ＥＰＤＣＣＨ領域（ＥＰＤＣＣＨセット）から、端末２００宛のＥＰＤＣＣＨの候補を探索し、端末２００宛のＥＰＤＣＣＨを検出し、端末２００宛の制御情報を識別する。伝搬路等化部２２１は、分離部２０３から入力されるＥＰＤＣＣＨの候補と、伝搬路推定部２０４から入力される伝搬路推定値とを用いて、ＥＰＤＣＣＨの候補に対する伝搬路等化（伝搬路補償）を行う。復調部２２２は、伝搬路等化部２２１が伝搬路等化した信号に、所定の変調方式に対する復調を行う。復号部２２３は、復号部２２２が復調した信号に、擬似雑音系列を用いた所定のスクランブル符号化に対するスクランブル復号、所定の誤り訂正符号化に対する誤り訂正復号、および、所定の誤り検出符号化に対する誤り検出復号を行う。ここで、誤り訂正復号により得られたＣＲＣパリティビットは、端末２００に固有の識別子を用いてスクランブル復号が行われ、誤り検出復号が行われる。そのため、誤り検出復号により、そのＥＰＤＣＣＨから誤りが検出されなければ、ＥＰＤＣＣＨ処理部２２０はそのＥＰＤＣＣＨを端末２００宛のＥＰＤＣＣＨとして検出できる。ＥＰＤＣＣＨ処理部２２０は、検出されたＥＰＤＣＣＨから制御情報を識別する。その制御情報は端末２００の様々な制御に用いられる。また、ＥＰＤＣＣＨ処理部２２０は、全てのＥＰＤＣＣＨの候補に対して処理を行う。
【００５８】
＜制御情報＞
ＰＤＳＣＨ処理部２３０は、端末２００宛のＰＤＳＣＨを処理し、端末２００宛のデータを検出する。ＰＤＳＣＨ処理部２３０が行う処理は、同一またはそれ以前のサブフレームで検出された制御情報に基づいて行われるかもしれない。また、ＰＤＳＣＨ処理部２３０が行う処理は、予め規定された制御情報に基づいて行われるかもしれない。また、ＰＤＳＣＨ処理部２３０が行う処理は、上位レイヤーを通じて通知された制御情報に基づいて行われるかもしれない。伝搬路等化部２３１は、分離部２０３から入力されるＰＤＳＣＨと、伝搬路推定部２０４から入力される伝搬路推定値とを用いて、ＰＤＳＣＨに対する伝搬路等化（伝搬路補償）を行う。復調部２３２は、伝搬路等化部２３１が伝搬路等化した信号に、所定の変調方式に対する復調を行う。復号部２３３は、復号部２３２が復調した信号に、擬似雑音系列を用いた所定のスクランブル符号化に対するスクランブル復号、および、所定の誤り訂正符号化に対する誤り訂正復号を行う。ＰＤＳＣＨ処理部２３０は、処理されたＰＤＳＣＨからデータを検出し、上位レイヤーなどに出力する。また、ＰＤＳＣＨ処理部２３０は、複数のＰＤＳＣＨに対して処理を行うことができる。
【００５９】
ここで、ＥＰＤＣＣＨ領域の設定は、基地局１００が、端末２００に対して通知する上位層の制御情報（例えば、ＲＲＣ（Ｒａｄｉｏ  Ｒｅｓｏｕｒｃｅ  Ｃｏｎｔｒｏｌ）シグナリング）を通じて行われる。例えば、ＥＰＤＣＣＨ領域の設定は、ＥＰＤＣＣＨの端末固有設定情報として、ＥＰＤＣＣＨを設定するための制御情報であり、端末２００に固有の設定情報である。また、ＥＰＤＣＣＨ領域は、ＥＰＤＣＣＨセットとも呼称される。また、端末は、複数個のＥＰＤＣＣＨ領域が設定されることができる。例えば、端末は、１つまたは２つのＥＰＤＣＣＨ領域が設定されることができる。また、２つのＥＰＤＣＣＨ領域が設定される場合、それぞれＥＰＤＣＣＨ領域は、第１のＥＰＤＣＣＨ領域（第１のＥＰＤＣＣＨセット）および第２のＥＰＤＣＣＨ領域（第２のＥＰＤＣＣＨセット）とも呼称される。ＥＰＤＣＣＨの設定の詳細は、後述する。なお、以降の説明では、ＰＤＣＣＨおよびＥＰＤＣＣＨは、単に制御チャネルとも呼称される。
【００６０】
例えば、基地局１００によって、ＥＰＤＣＣＨの端末固有設定情報が通知され、ＥＰＤＣＣＨ領域が設定される場合、ＥＰＤＣＣＨ処理部２２０は、ＥＰＤＣＣＨ領域にマッピングされた端末２００宛の制御チャネルを探索する。この場合、ＰＤＣＣＨ処理部２１０は、さらにＰＤＣＣＨ領域のＰＤＣＣＨも探索してもよい。例えば、ＰＤＣＣＨ処理部２１０は、さらにＰＤＣＣＨ領域におけるセル固有の探索領域も探索してもよい。また、基地局１００によって、ＥＰＤＣＣＨの端末固有設定情報が通知されず、ＥＰＤＣＣＨ領域が設定されない場合、ＰＤＣＣＨ処理部２１０は、ＰＤＣＣＨ領域にマッピングされた端末２００宛のＰＤＣＣＨを探索する。
【００６１】
ここで、ＥＰＤＣＣＨ処理部２２０は、ＥＰＤＣＣＨ領域にマッピングされた端末２００宛のＥＰＤＣＣＨを探索する場合、可能性のあるＥＰＤＣＣＨを復調するために、端末固有参照信号を用いる。また、ＰＤＣＣＨ処理部２１０は、ＰＤＣＣＨ領域にマッピングされた端末２００宛のＰＤＣＣＨを探索する場合、可能性のあるＰＤＣＣＨを復調するために、セル固有参照信号を用いる。
【００６２】
具体的には、ＰＤＣＣＨ処理部２１０および／またはＥＰＤＣＣＨ処理部２２０は、制御情報（ＤＣＩ；Downlink Control Information）の種類、マッピングされるリソースの位置、マッピングされるリソースの大きさ等に基づいて得られる制御チャネルの候補の全部または一部を、復調および復号処理を行い、逐次探索する。ＰＤＣＣＨ処理部２１０およびＥＰＤＣＣＨ処理部２２０は、端末２００宛の制御情報か否かを判定する方法として、制御情報に付加される誤り検出符号（例えば、ＣＲＣ（Ｃｙｃｌｉｃ  Ｒｅｄｕｎｄａｎｃｙ  Ｃｈｅｃｋ）符号）を用いる。また、このような探索方法は、ブラインドデコーディングとも呼称される。
【００６３】
また、端末２００は、ＰＤＣＣＨ処理部２１０および／またはＥＰＤＣＣＨ処理部２２０におけるブラインドデコーディングを行う数（ＰＤＣＣＨおよび／またはＥＰＤＣＣＨの候補数）を、ＰＤＣＣＨシグナリング、ＥＰＤＣＣＨシグナリングおよび／またはＲＲＣシグナリングを用いて通知される制御情報に基づいて設定されることができる。また、端末２００は、ＰＤＣＣＨ処理部２１０および／またはＥＰＤＣＣＨ処理部２２０におけるブラインドデコーディングを行う数（ＰＤＣＣＨおよび／またはＥＰＤＣＣＨの候補数）を、予め規定された方法を用いて、設定または認識することができる。
【００６４】
また、ＰＤＣＣＨ処理部２１０および／またはＥＰＤＣＣＨ処理部２２０は、端末２００宛の制御チャネルを検出した場合、検出された制御チャネルにマッピングされた制御情報を識別し、端末２００全体（上位レイヤーも含む）で共用され、下りリンクデータチャネル（ＰＤＳＣＨ）の受信処理、上りリンクデータチャネル（ＰＵＳＣＨ）や上りリンク制御チャネル（ＰＵＣＣＨ）の送信処理、上りリンクにおける送信電力制御など、端末２００における様々な制御に用いられる。
【００６５】
ＰＤＣＣＨ処理部２１０および／またはＥＰＤＣＣＨ処理部２２０は、検出された制御チャネルに下りリンクデータチャネルの割り当て情報を含む制御情報がマッピングされていた場合、分離部２０３でそのデータチャネルを分離しＰＤＳＣＨ処理部２３０に出力する。
【００６６】
ここで、ＰＤＣＣＨまたはＥＰＤＣＣＨは、下りリンク制御情報（ＤＣＩ）を端末へ通知（指定）するために使用される。例えば、下りリンク制御情報には、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報、スクランブリングアイデンティティ（スクランブリンク識別子とも呼称される）に関する情報、参照信号系列アイデンティティ（ベースシーケンスアイデンティティ、ベースシーケンス識別子、ベースシーケンスインデックスとも呼称される）に関する情報などが含まれる。
【００６７】
また、ＰＤＣＣＨまたはＥＰＤＣＣＨで送信される下りリンク制御情報に対して、複数のフォーマットが定義される。ここで、下りリンク制御情報のフォーマットを、ＤＣＩフォーマットとも呼称する。すなわち、ＤＣＩフォーマットに、上りリンク制御情報のそれぞれに対するフィールドが定義される。
【００６８】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１およびＤＣＩフォーマット１Ａが定義される。すなわち、ＤＣＩフォーマット１およびＤＣＩフォーマット１Ａは、１つの送信アンテナポートを使用したＰＤＳＣＨでの送信に使用される。また、ＤＣＩフォーマット１およびＤＣＩフォーマット１Ａは、複数の送信アンテナポートを使用した送信ダイバーシチ（ＴｘＤ；Ｔｒａｎｓｍｉｓｓｉｏｎ  Ｄｉｖｅｒｓｉｔｙ）によるＰＤＳＣＨでの送信にも使用される。
【００６９】
また、下りリンクに対するＤＣＩフォーマットとしては、１つのセル（送信ポイント）における１つのＰＤＳＣＨ（２つまでのＰＤＳＣＨのコードワード、２つまでの下りリンクトランスポートの送信）のスケジューリングに使用されるＤＣＩフォーマット２、ＤＣＩフォーマット２Ａ、ＤＣＩフォーマット２ＢおよびＤＣＩフォーマット２Ｃが定義される。すなわち、ＤＣＩフォーマット２、ＤＣＩフォーマット２Ａ、ＤＣＩフォーマット２ＢおよびＤＣＩフォーマット２Ｃは、１つのセル（送信ポイント）から、複数の送信アンテナポートによるＭＩＭＯを用いたＰＤＳＣＨでの送信に使用される。また、下りリンクに対するＤＣＩフォーマットとしては、１つまたは複数のセル（送信ポイント）における１つのＰＤＳＣＨ（２つまでのＰＤＳＣＨのコードワード、２つまでの下りリンクトランスポートの送信）のスケジューリングに使用されるＤＣＩフォーマット２Ｄが定義される。すなわち、ＤＣＩフォーマット２Ｄは、１つまたは複数のセル（送信ポイント）から、複数の送信アンテナポートによるＭＩＭＯを用いたＰＤＳＣＨでの送信に使用される。
【００７０】
ここで、制御情報は、そのフォーマットが予め規定される。例えば、制御情報は、基地局１００が端末２００に対して通知する目的に応じて規定されることができる。具体的には、制御情報は、端末２００に対する下りリンクのデータチャネルの割り当て情報、端末２００に対する上りリンクデータチャネル（ＰＵＳＣＨ）、上りリンク制御チャネル（ＰＵＣＣＨ）の割り当て情報、および／または端末２００に対する送信電力を制御するための情報などに対して、規定されることができる。そのため、例えば、基地局１００は、端末２００に対してＰＤＳＣＨを送信する場合、端末２００に対するＰＤＳＣＨの割り当て情報を含む制御情報がマッピングされた制御チャネル、および、その制御情報に基づいて割り当てられたＰＤＳＣＨを送信する。また、例えば、基地局１００は、端末２００に対するＰＵＳＣＨを割り当てる場合、端末２００に対するＰＵＳＣＨの割り当て情報を含む制御情報がマッピングされたＰＵＣＣＨを送信する。また、基地局１００は、同じサブフレームにおいて、同じ端末２００に対して、複数の異なる制御情報または同じ制御情報を、異なるフォーマットまたは同じフォーマットによって、送信することもできる。なお、基地局１００は、端末２００に対して下りリンクのデータを送信する場合、端末２００に対するＰＤＳＣＨの割り当て情報を含む制御情報がマッピングされた制御チャネルを送信するサブフレームとは異なるサブフレームで下りリンクのデータチャネルを送信することもできる。
【００７１】
ここで、ＰＤＣＣＨ領域は、基地局１００に固有の領域であるため、セル固有制御チャネル領域とも呼称される。また、ＥＰＤＣＣＨ領域は、基地局１００からＲＲＣシグナリングを通じて設定される、端末２００に固有の領域であるため、端末固有制御チャネル領域とも呼称される。また、ＥＰＤＣＣＨ領域は、リソースブロックペア、または、複数のリソースブロックペアのグループであるリソースブロックグループを単位として設定される。なお、ＥＰＤＣＣＨ領域は、基地局１００に固有の領域として設定されることができる。すなわち、そのＥＰＤＣＣＨ領域は、基地局１００と通信している端末の一部または全部に共通の領域として用いられる。
【００７２】
また、基地局１００と端末２００は、上位層（Ｈｉｇｈｅｒ  ｌａｙｅｒ）において信号を送受信する。例えば、基地局１００と端末２００は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。ここで、ＲＲＣ層において、基地局１００によって、ある端末に対して送信される専用の信号は、Ｄｅｄｉｃａｔｅｄ  ｓｉｇｎａｌ（専用の信号）とも呼称される。すなわち、基地局１００によって、Ｄｅｄｉｃａｔｅｄ  ｓｉｇｎａｌを使用して通知される設定（情報）は、ある端末に対して固有な設定である。
【００７３】
また、基地局１００と端末２００は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（Ｈｉｇｈｅｒ  ｌａｙｅｒ  ｓｉｇｎａｌｉｎｇ）とも呼称される。
【００７４】
＜フレームフォーマット＞
図３は、基地局が送信するサブフレームの一例を示す図である。この例では、システム帯域幅が１２個の物理リソースブロックペア（ＰＲＢ；Ｐｈｙｓｉｃａｌ  Ｒｅｓｏｕｒｃｅ  Ｂｌｏｃｋ）で構成される１個のサブフレームが示される。なお、以下の説明では、リソースブロックペアは、単にリソースブロック、ＰＲＢまたはＲＢとしても説明する。すなわち、以下の説明において、リソースブロック、ＰＲＢまたはＲＢは、リソースブロックペアを含む。また、サブフレームにおいて、先頭の０個以上のＯＦＤＭシンボルはＰＤＣＣＨ領域である。ＰＤＣＣＨ領域のＯＦＤＭシンボル数は、端末２００に対して通知される。例えば、ＰＤＣＣＨ領域は、先頭のＯＦＤＭシンボルに専用の通知領域を設定し、サブフレーム毎に動的に通知することができる。また、ＰＤＣＣＨ領域は、上位レイヤーの制御情報を用いて、準静的に通知することができる。また、ＰＤＣＣＨ領域以外の領域は共用チャネル領域である。共用チャネル領域は、データチャネル領域および／またはＥＰＤＣＣＨ領域を含んで構成される。図３の例では、１つのＥＰＤＣＣＨ領域は、ＰＲＢ３、ＰＲＢ４、ＰＲＢ９およびＰＲＢ１１で構成される。
【００７５】
ここで、基地局１００は、端末２００に対して、上位レイヤーの制御情報を通じて、ＥＰＤＣＣＨ領域を通知（設定）する。例えば、ＥＰＤＣＣＨ領域を設定する制御情報は、ＰＲＢペア毎またはＰＲＢペアのグループ毎に設定する制御情報である。図３の例では、ＰＲＢ３、ＰＲＢ４、ＰＲＢ９およびＰＲＢ１１がＥＰＤＣＣＨ領域として設定される。また、ＥＰＤＣＣＨ領域は所定のＰＲＢ数を単位として割り当てられる。例えば、所定のＰＲＢ数は４とすることができる。その場合、基地局１００は、端末２００に、４の倍数個のＰＲＢをＥＰＤＣＣＨ領域として設定する。
【００７６】
図４は、基地局がマッピングする１つのリソースブロックペアの一例を示す図である。１つのリソースブロックは所定の周波数方向の領域と所定の時間方向の領域で構成される。１つのリソースブロックペアは、２つのリソースブロックが時間方向に連続して配置される。また、リソースブロックペアにおいて、時間方向に前半のリソースブロックは、第１のリソースブロックとも呼称され、時間方向に後半のリソースブロックは、第２のリソースブロックとも呼称される。図４は、１つのリソースブロックペアを表しており、１つのリソースブロックは周波数方向に１２個のサブキャリアと時間方向に７個のＯＦＤＭシンボルで構成される。１つのＯＦＤＭシンボルと１つのサブキャリアとで構成されるリソースはリソースエレメントと呼称される。リソースブロックペアは周波数方向に並べられ、そのリソースブロックペアの数は基地局毎に設定できる。例えば、そのリソースブロックペアの数は６〜１１０個に設定できる。その時の周波数方向の幅は、システム帯域幅と呼称される。また、リソースブロックペアの時間方向は、サブフレームと呼称される。それぞれのサブフレームのうち、時間方向に前後の７つのＯＦＤＭシンボルは、それぞれスロットとも呼称される。また、以下の説明では、リソースブロックペアは、単にリソースブロックとも呼称される。また、リソースブロックペアにおいて、時間方向に前半のリソースブロックは、第１のリソースブロックとも呼称され、時間方向に後半のリソースブロックは、第２のリソースブロックとも呼称される。
【００７７】
図４において、網掛けしたリソースエレメントのうち、Ｒ０〜Ｒ３は、それぞれアンテナポート０〜３のセル固有参照信号を示す。以下では、アンテナポート０〜３のセル固有参照信号はＣＲＳ（Ｃｏｍｍｏｎ  Ｒｅｆｅｒｅｎｃｅ  Ｓｉｇｎａｌ）とも呼称される。ここで、図４に示すＣＲＳは、４つのアンテナポートの場合であるが、その数を変えることができ、例えば、１つのアンテナポートや２つのアンテナポートのＣＲＳをマッピングすることができる。また、セル固有参照信号は、セルＩＤに基づいて、周波数方向へシフトすることができる。例えば、セル固有参照信号は、セルＩＤを６で割った余りに基づいて、周波数方向へシフトすることができる。その時のシフトのパターンは６である。すなわち、セル固有参照信号のアンテナポート数が１の場合、セル固有参照信号に用いられるリソースエレメントのパターンは６である。セル固有参照信号のアンテナポート数が２および４の場合、セル固有参照信号に用いられるリソースエレメントのパターンは３である。
【００７８】
ここで、セル固有参照信号は、基地局１００および端末２００が共に既知の信号であれば、任意の信号（系列）を用いることができる。例えば、基地局１００に固有の番号（セルＩＤ）などの予め割り当てられているパラメータに基づいた乱数や疑似雑音系列を用いることができる。また、アンテナポート間で直交させる方法として、セル固有参照信号をマッピングするリソースエレメントをアンテナポート間で互いにヌル（ゼロ）とする方法、疑似雑音系列を用いた符号分割多重する方法、またはそれらを組み合わせた方法などを用いることができる。なお、セル固有参照信号は、全てのサブフレームに多重しなくてもよく、一部のサブフレームのみに多重してもよい。
【００７９】
図４において、アンテナポート０〜３のセル固有参照信号とは異なるセル固有参照信号として、アンテナポート１５〜２２の伝送路状況測定用参照信号をマッピングすることができる。図４において、網掛けしたリソースエレメントのうち、Ｃ１〜Ｃ４は、それぞれＣＤＭ（Ｃｏｄｅ  Ｄｉｖｉｓｉｏｎ  Ｍｕｌｔｉｐｌｅｘｉｎｇ）グループ１〜ＣＤＭグループ４の伝送路状況測定用参照信号を示す。伝送路状況測定用参照信号は、まずＷａｌｓｈ符号を用いた直交符号がマッピングされ、その後にＧｏｌｄ符号または擬似雑音系列を用いたスクランブル符号が重畳される。また、伝送路状況測定用参照信号は、ＣＤＭグループ内において、それぞれＷａｌｓｈ符号等の直交符号により符号分割多重される。また、伝送路状況測定用参照信号は、ＣＤＭグループ間において、互いに周波数分割多重（ＦＤＭ；Ｆｒｅｑｕｅｎｃｙ  Ｄｉｖｉｓｉｏｎ  Ｍｕｌｔｉｐｌｅｘｉｎｇ）される。また、アンテナポート１５および１６の伝送路状況測定用参照信号はＣ１にマッピングされ、アンテナポート１７および１８の伝送路状況測定用参照信号はＣ２にマッピングされ、アンテナポート１９および２０の伝送路状況測定用参照信号はＣ３にマッピングされ、アンテナポート２１および２２の伝送路状況測定用参照信号はＣ４にマッピングされる。また、伝送路状況測定用参照信号は、アンテナポート１５〜２２の８つのアンテナポートに対応する参照信号として設定されることができる。
【００８０】
また、伝送路状況測定用参照信号は、アンテナポート１５〜１８の４つのアンテナポートに対応する参照信号として設定されることができる。また、伝送路状況測定用参照信号は、アンテナポート１５〜１６の２つのアンテナポートに対応する参照信号として設定されることができる。また、伝送路状況測定用参照信号は、アンテナポート１５の１つのアンテナポートに対応する参照信号として設定されることができる。また、伝送路状況測定用参照信号は、一部のサブフレームにマッピングされることができ、例えば、複数のサブフレーム毎にマッピングされることができる。また、伝送路状況測定用参照信号をマッピングするリソースエレメントは、図４で示すリソースエレメントとは異なってもよい。また、伝送路状況測定用参照信号のリソースエレメントに対するマッピングパターンは予め複数個のパターンを規定してもよい。また、基地局１００は、端末２００に対して、複数の伝送路状況測定用参照信号を設定することができる。また、伝送路状況測定用参照信号は、その送信電力をさらに設定することができ、例えば、その送信電力をゼロにすることができる。基地局１００は、ＲＲＣシグナリングを通じて、端末２００に対する端末固有の制御情報として、伝送路状況測定用参照信号を設定する。端末２００は、基地局１００からの設定に基づいて、ＣＲＳおよび／または伝送路状況測定用参照信号を用いて、フィードバック情報を生成する。
【００８１】
図４において、網掛けしたリソースエレメントのうち、Ｄ１〜Ｄ２は、それぞれＣＤＭ（Ｃｏｄｅ  Ｄｉｖｉｓｉｏｎ  Ｍｕｌｔｉｐｌｅｘｉｎｇ）グループ１〜ＣＤＭグループ２の端末固有参照信号またはＥＰＤＣＣＨ復調用参照信号を示す。端末固有参照信号またはＥＰＤＣＣＨ復調用参照信号は、まずＷａｌｓｈ符号を用いた直交符号がマッピングされ、その後にＧｏｌｄ符号を用いた擬似ランダム系列がスクランブル系列として重畳される。また、端末固有参照信号またはＥＰＤＣＣＨ復調用参照信号は、ＣＤＭグループ内において、それぞれＷａｌｓｈ符号等の直交符号により符号分割多重される。また、端末固有参照信号またはＥＰＤＣＣＨ復調用参照信号は、ＣＤＭグループ間において、互いにＦＤＭされる。ここで、端末固有参照信号またはＥＰＤＣＣＨ復調用参照信号は、そのリソースブロックペアにマッピングされる制御チャネルやデータチャネルに応じて、８つのアンテナポート（アンテナポート７〜１４）の一部または全部を用いて、最大８ランクまでマッピングすることができる。また、端末固有参照信号またはＥＰＤＣＣＨ復調用参照信号は、マッピングするランク数に応じて、ＣＤＭの拡散符号長やマッピングされるリソースエレメントの数を変えることができる。
【００８２】
アンテナポート７、８、１１および１３の端末固有参照信号は、４チップの系列長により構成され、ＣＤＭグループ１にマッピングされる。アンテナポート９、１０、１２および１４の端末固有参照信号は、４チップの系列長により構成され、ＣＤＭグループ２にマッピングされる。また、アンテナポート１０７および１０８のＥＰＤＣＣＨ復調用参照信号は、４チップの系列長により構成され、ＣＤＭグループ１にマッピングされる。アンテナポート１０９および１１０のＥＰＤＣＣＨ復調用参照信号は、４チップの系列長により構成され、ＣＤＭグループ２にマッピングされる。
【００８３】
アンテナポート１０７〜１１０のＥＰＤＣＣＨ復調用参照信号と、アンテナポート７〜１４の端末固有参照信号とは、一部異なって構成されてもよい。例えば、アンテナポート１０７〜１１０のＥＰＤＣＣＨ復調用参照信号で用いられるスクランブル系列は、アンテナポート７〜１４の端末固有参照信号で用いられるスクランブル系列と異なってもよい。
【００８４】
また、白く塗りつぶされたリソースエレメントは、ＰＤＳＣＨおよび／またはＥＰＤＣＣＨがマッピングされ得るリソースである。ＰＤＳＣＨおよび／またはＥＰＤＣＣＨがマッピングされ得るリソースは、サブフレーム中のＰＤＣＣＨがマッピングされ得るリソースのＯＦＤＭシンボルとは異なるＯＦＤＭシンボルである。図４の例では、ＰＤＣＣＨの送信のために用いられるＯＦＤＭシンボル数は３であり、サブフレーム中の先頭のＯＦＤＭシンボルから３番目のＯＦＤＭシンボルで構成される。また、ＰＤＳＣＨおよび／またはＥＰＤＣＣＨがマッピングされ得るリソースは、サブフレーム中の４番目のＯＦＤＭシンボルから最後のＯＦＤＭシンボルで構成され、ＰＤＳＣＨおよび／またはＥＰＤＣＣＨがマッピングされ得るリソースのＯＦＤＭシンボル数は１１である。ＰＤＣＣＨ、ＰＤＳＣＨおよび／またはＥＰＤＣＣＨがマッピングされ得るリソースは、サブフレーム毎に所定数のＯＦＤＭシンボルを設定し構成することができる。なお、ＰＤＳＣＨおよび／またはＥＰＤＣＣＨがマッピングされ得るリソースは、そのサブフレームにおけるＰＤＣＣＨの送信のために用いられるＯＦＤＭシンボル数に関わらず、予め規定された所定のＯＦＤＭシンボルにマッピングされることもできる。また、ＰＤＳＣＨおよび／またはＥＰＤＣＣＨがマッピングされ得るリソースは、リソースブロックペア毎に設定することができる。また、ＥＰＤＣＣＨがマッピングされ得るリソースは、ＰＤＣＣＨの送信のために用いられるＯＦＤＭシンボル数に関わらず、サブフレームにおける全てのＯＦＤＭシンボルであってもよい。
【００８５】
また、ＥＰＤＣＣＨがマッピングされ得るリソースは、ＥＰＤＣＣＨセット毎に独立に設定できる。ＥＰＤＣＣＨがマッピングされ得るリソースを示す情報は、ＥＰＤＣＣＨセット毎に設定されるＲＲＣシグナリングを通じて通知される制御情報にそれぞれ含まれることができる。例えば、ＥＰＤＣＣＨがマッピングされ得るリソースを示す情報は、ＥＰＤＣＣＨがマッピングされ得るリソースのサブフレームにおけるスタートシンボルであり、ＥＰＤＣＣＨセット毎に所定の値（例えば、０〜４のいずれかの値）が設定されるかもしれない。
【００８６】
ここで、リソースブロックは、通信システムが用いる周波数帯域幅（システム帯域幅）に応じて、その数を変えることができる。例えば、６〜１１０個のリソースブロックを用いることができ、その単位をコンポーネントキャリアとも呼称される。さらに、基地局１００は、端末２００に対して、周波数アグリゲーションにより、複数のコンポーネントキャリアを設定することもできる。例えば、基地局１００は、端末２００に対して、１つのコンポーネントキャリアは２０ＭＨｚで構成し、周波数方向に連続および／または非連続に、５個のコンポーネントキャリアを設定し、通信システムが用いることができるトータルの帯域幅を１００ＭＨｚにすることができる。
【００８７】
次に、本実施形態における無線通信システムでは、下りリンクと上りリンクにおいて、複数のサービングセル（単に、セルとも呼称される）の集約がサポートされる（キャリアアグリゲーションと呼称される）。例えば、サービングセルそれぞれにおいて、１１０リソースブロックまでの送信帯域幅を使用することができる。また、キャリアアグリゲーションにおいて、１つのサービングセルは、プライマリセル（ＰＣｅｌｌ；Ｐｒｉｍａｒｙ  ｃｅｌｌ）と定義される。また、キャリアアグリゲーションにおいて、プライマリセル以外のサービングセルは、セカンダリセル（ＳＣｅｌｌ；Ｓｅｃｏｎｄａｒｙ  Ｃｅｌｌ）と定義される。
【００８８】
さらに、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００８９】
さらに、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００９０】
すなわち、キャリアアグリゲーションにおいて、広送信帯域幅をサポートするために複数のコンポーネントキャリアが集約される。ここで、例えば、プライマリー基地局をプライマリセルと、セカンダリー基地局をセカンダリセルとみなす（基地局１００が、端末２００へ設定する）こともできる（ＨｅｔＮｅｔ  ｄｅｐｌｏｙｍｅｎｔ  ｗｉｔｈ  ａ  ｃａｒｒｉｅｒ  ａｇｇｒｅｇａｔｉｏｎとも呼称される）。
【００９１】
＜ＰＤＣＣＨ＞
以下では、ＰＤＣＣＨの構成の詳細が説明される。ＰＤＣＣＨ（第１の制御チャネル）は、複数の制御チャネルエレメント（ＣＣＥ；Ｃｏｎｔｒｏｌ  Ｃｈａｎｎｅｌ  Ｅｌｅｍｅｎｔ）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局１００の送信アンテナの数に応じた下りリンクのセル固有参照信号の送信アンテナポート数に依存する。ＣＣＥは、複数の下りリンクリソースエレメント（１つのＯＦＤＭシンボルおよび１つのサブキャリアで規定されるリソース）により構成される。
【００９２】
基地局１００と端末２００との間で用いられるＣＣＥには、ＣＣＥを識別するための番号が付与されている。ＣＣＥの番号付けは、予め決められた規則に基づいて行われる。ここで、ＣＣＥ＿ｔは、ＣＣＥ番号ｔのＣＣＥを示す。ＰＤＣＣＨは、複数のＣＣＥからなる集合（ＣＣＥ  Ａｇｇｒｅｇａｔｉｏｎ）により構成される。この集合を構成するＣＣＥの数を、「ＣＣＥ集合レベル」（ＣＣＥ  ａｇｇｒｅｇａｔｉｏｎ  ｌｅｖｅｌ）と称す。ＰＤＣＣＨを構成するＣＣＥ集合レベルは、ＰＤＣＣＨに設定される符号化率、ＰＤＣＣＨに含められるＤＣＩのビット数に応じて基地局１００において設定される。なお、端末２００に対して用いられる可能性のあるＣＣＥ集合レベルの組み合わせは予め決められている。また、ｎ個のＣＣＥからなる集合を、「ＣＣＥ集合レベルｎ」という。
【００９３】
１個のリソースエレメントグループ（ＲＥＧ）は周波数領域の隣接する４個の下りリンクリソースエレメントにより構成される。さらに、１個のＣＣＥは、周波数領域及び時間領域に分散した９個の異なるリソースエレメントグループにより構成される。具体的には、下りリンクコンポーネントキャリア全体に対して、番号付けされた全てのリソースエレメントグループに対してブロックインタリーバを用いてリソースエレメントグループ単位でインタリーブが行われ、インタリーブ後の番号の連続する９個のリソースエレメントグループにより１個のＣＣＥが構成される。
【００９４】
各端末には、ＰＤＣＣＨを探索する領域ＳＳ（Ｓｅａｒｃｈ  Ｓｐａｃｅ）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるＣＳＳ（Ｃｅｌｌ−ｓｐｅｃｉｆｉｃ  ＳＳ）と、最も小さいＣＣＥから番号が端末固有であるＵＳＳ（ＵＥ−ｓｐｅｃｉｆｉｃ  ＳＳ）とに分類される。ＣＳＳには、システム情報あるいはページングに関する情報など、複数の端末が読む制御情報が割り当てられたＰＤＣＣＨ、あるいは下位の送信方式へのフォールバックやランダムアクセスの指示を示す下りリンク／上りリンクグラントが割り当てられたＰＤＣＣＨを配置することができる。
【００９５】
基地局１００は、端末２００において設定されるＳＳ内の１個以上のＣＣＥを用いてＰＤＣＣＨを送信する。端末２００は、ＳＳ内の１個以上のＣＣＥを用いて受信信号の復号を行い、自身宛てのＰＤＣＣＨを検出するための処理を行う（ブラインドデコーディングと呼称される）。端末２００は、ＣＣＥ集合レベル毎に異なるＳＳを設定する。その後、端末２００は、ＣＣＥ集合レベル毎に異なるＳＳ内の予め決められた組み合わせのＣＣＥを用いてブラインドデコーディングを行う。言い換えると、端末２００は、ＣＣＥ集合レベル毎に異なるＳＳ内の各ＰＤＣＣＨの候補に対してブラインドデコーディングを行う。端末２００におけるこの一連の処理をＰＤＣＣＨのモニタリングという。
【００９６】
＜ＥＰＤＣＣＨ＞
以下では、ＥＰＤＣＣＨの詳細が説明される。ＥＰＤＣＣＨ（第２の制御チャネル、Ｅｎｈａｎｃｅｄ  ＰＤＣＣＨ）は、ＥＰＤＣＣＨ領域にマッピングされる。基地局１００が端末２００に対してＥＰＤＣＣＨ領域を通じてＥＰＤＣＣＨを通知する場合、基地局１００は端末２００に対してＥＰＤＣＣＨ領域を設定し、ＥＰＤＣＣＨ領域に端末２００に対するＥＰＤＣＣＨをマッピングする。また、基地局１００が端末２００に対してＰＤＣＣＨ領域を通じてＰＤＣＣＨを通知する場合、基地局１００は端末２００に対してＥＰＤＣＣＨ領域の設定に関わらず、ＰＤＣＣＨ領域に端末２００に対するＰＤＣＣＨをマッピングしてもよい。また、基地局１００が端末２００に対してＰＤＣＣＨ領域を通じてＰＤＣＣＨを通知する場合、基地局１００は端末２００に対してＥＰＤＣＣＨ領域を設定しない時に、ＰＤＣＣＨ領域に端末２００に対するＰＤＣＣＨをマッピングするとしてもよい。
【００９７】
一方、端末２００は、基地局１００によってＥＰＤＣＣＨ領域が設定された場合、ＰＤＣＣＨ領域における端末２００宛のＰＤＣＣＨおよび／またはＥＰＤＣＣＨ領域における端末２００宛のＥＰＤＣＣＨをブラインドデコーディングすることができる。また、端末２００は、基地局１００によってＥＰＤＣＣＨ領域が設定されない場合、ＥＰＤＣＣＨ領域における端末２００宛のＥＰＤＣＣＨをブラインドデコーディングしないかもしれない。
【００９８】
基地局１００は、ＲＲＣシグナリングを通じて、端末２００に１つ以上のＥＰＤＣＣＨ領域を設定する。それぞれのＥＰＤＣＣＨ領域は、１つ以上のＲＢペアにより構成される。例えば、ＥＰＤＣＣＨ領域は、ＲＢペアまたはＲＢペアのグループであるＲＢＧを単位として設定できる。ここで、ＥＰＤＣＣＨ領域を構成するＲＢペアの数は、予め規定された複数の所定の値のいずれかである。例えば、ＥＰＤＣＣＨ領域を構成するＲＢペアの数は、２、４または８にすることができる。また、ＥＰＤＣＣＨ領域を構成するＲＢペアの数は、ＲＲＣシグナリングを通じて設定されるＥＰＤＣＣＨ領域に関する設定に含まれてもよい。また、ＥＰＤＣＣＨ領域を構成するＲＢペアの数は、セルまたはコンポーネントキャリアのシステム帯域幅に応じてインプリシットに設定されてもよい。また、基地局１００は、端末２００に設定されたそれぞれのＥＰＤＣＣＨ領域に探索領域（サーチスペース）を設定できる。
【００９９】
ＥＰＤＣＣＨ領域にマッピングされるＥＰＤＣＣＨは、１つまたは複数の端末に対する制御情報毎に処理され、スクランブル処理、変調処理、レイヤーマッピング処理、プレコーディング処理等が行われる。また、ＥＰＤＣＣＨとＥＰＤＣＣＨ復調用参照信号とに対して、同一のプレコーディング処理が行われることができる。
【０１００】
ＥＰＤＣＣＨは、所定数の拡張制御チャネルエレメント（ＥＣＣＥ；Ｅｎｈａｎｃｅｄ  ＣＣＥ）により構成される。例えば、１つのＥＰＤＣＣＨは、１、２、４、８、１６または３２のＥＣＣＥにより構成される。ここで、１つのＥＰＤＣＣＨを構成するＥＣＣＥの数は、アグリゲーションレベル（ＥＣＣＥ集合レベル）を規定する。
【０１０１】
ＥＣＣＥは、所定数の拡張リソースエレメントグループ（ＥＲＥＧ；Ｅｎｈａｎｃｅｄ  ＲＥＧ）により構成される。例えば、１つのＥＣＣＥは、４または８のＥＲＥＧにより構成される。また、１つのＥＣＣＥを構成するＥＲＥＧの数は、ＥＰＤＣＣＨ領域が設定されるサブフレームの種類および／またはサイクリックプレフィックスの種類に応じて規定されることができる。例えば、ＥＰＤＣＣＨ領域が設定されるサブフレームの種類および／またはサイクリックプレフィックスの種類によって、ＥＰＤＣＣＨをマッピングするための物理リソースの大きさが異なる場合、１つのＥＣＣＥを構成するＥＲＥＧの数は、その物理リソースの大きさに応じて規定されることができる。
【０１０２】
ＥＲＥＧは、所定数のリソースエレメントにより構成される。例えば、１つのＥＲＥＧは、同じＲＢペアにおける１６のリソースエレメントにより構成される。
【０１０３】
なお、局所マッピングの場合、ＥＣＣＥは、ＥＲＥＧを用いずに、同一のＲＢペアにおける所定のリソースエレメントにより構成されてもよい。その場合、局所マッピングにおけるＥＣＣＥは、分散マッピングにおけるＥＣＣＥに用いられるＥＲＥＧを構成するリソースエレメントにより構成されてもよい。例えば、局所マッピングにおけるＥＣＣＥは、同一のＲＢペアにおける３６または７２個のリソースエレメントにより構成されてもよい。
【０１０４】
以下では、ＲＢペアにおけるＥＲＥＧの構成の詳細を説明する。１つのＲＢペアは、所定数のＥＲＥＧを構成する。例えば、１つのＲＢペアは、１６のＥＲＥＧを構成する。それぞれのＥＲＥＧは、識別するための番号（インデックス）が付与される。例えば、１つのＲＢペアが１６のＥＲＥＧを構成する場合、ＥＲＥＧを識別するＥＲＥＧ番号は０〜１５が用いられる。ＥＲＥＧ番号は０〜１５のＥＲＥＧは、ＥＲＥＧ０〜ＥＲＥＧ１５とも呼称される。１つのＲＢペアにおけるＥＲＥＧの番号付けは、予め決められた規則に基づいて行われる。
【０１０５】
図５は、１つのＲＢペアにおけるＥＲＥＧ構成を示す。それぞれのリソースエレメントに付された番号はＥＲＥＧ番号を示す。１つのＲＢペアにおいて、ＥＲＥＧ０〜ＥＲＥＧ１５のＥＲＥＧ番号は、周波数優先マッピング規則（frequency-first and time-second）により、順にマッピングされる。
【０１０６】
また、以下の説明では、それぞれのＲＢにおいて、ｋ番目のサブキャリアとｌ番目のＯＦＤＭシンボルとで示されるリソースエレメントは（ｋ，ｌ）と表される。それぞれのＲＢペアのそれぞれのスロットにおける、７個のＯＦＤＭシンボルに対して、時間方向のＯＦＤＭシンボル毎にインデックス（ｌ＝０，１，．．．，６）が付与される。ＯＦＤＭシンボルに対するインデックスはＯＦＤＭシンボル番号とも呼称される。また、それぞれのＲＢペアにおける、１２個のサブキャリアに対して、周波数方向のサブキャリア毎にインデックス（ｋ＝０，１，．．．，１１）が付与される。サブキャリアに対するインデックスはサブキャリア番号とも呼称される。なお、サブキャリア番号は、システム帯域（コンポーネントキャリア）に渡って連続に付与できる。例えば、それぞれのＲＢペアにおけるサブキャリア番号（ｋ0＝０，１，．．．，１１）が付与される時、システム帯域におけるサブキャリア番号ｋはＮscRB×ｎRB＋ｋ0とも表される。ただし、ＮscRBは１つのＲＢまたはＲＢペアにおけるサブキャリア数を示す。ｎRBはシステム帯域（コンポーネントキャリア）に渡って連続に付与できるＲＢまたはＲＢペアのインデックスを示し、ｎRB＝０，１，．．．，ＮRBDL−１である。ＲＢまたはＲＢペアのインデックスはＲＢ番号またはＲＢペア番号とも呼称される。また、それぞれのスロットは、スロットに対するインデックス（スロット番号）が付与される。例えば、偶数番目のスロット番号は、それぞれのサブフレームにおける前半のスロット（スロット０）である。また、奇数番目のスロット番号は、それぞれのサブフレームにおける後半のスロット（スロット１）である。
【０１０７】
ここで、周波数優先マッピング規則は、マッピングの対象が、マッピングする領域内の複数のリソースエレメントにおいて、先頭のＯＦＤＭシンボルであり最も低い周波数のサブキャリアのリソースエレメントから、それぞれのＯＦＤＭシンボルにおいて、周波数が高くなる方向のリソースエレメントを優先して順にマッピングし、以降のＯＦＤＭシンボルに対しても同様にマッピングする規則である。具体的には、周波数優先マッピング規則は、マッピングの対象が、マッピングする領域内の複数のリソースエレメントにおいて、以下のようにマッピングされる規則である。ここで、マッピングの対象は、ＥＲＥＧ、ＥＲＥＧ番号、ＥＣＣＥ、ＥＣＣＥ番号、ＲＢペア、ＲＢペア番号、アンテナポート、アンテナポート番号、信号、データ、チャネル、ＥＰＤＣＣＨ、および／またはＥＰＤＣＣＨ番号などを含む。なお、周波数優先マッピング規則におけるマッピングは、アンテナポート等の関連付けにも適用できるため、マッピングは関連付けとも言い換えることができる。すなわち、周波数優先マッピング規則は、周波数優先関連付け規則とも言い換えることができる。また、周波数優先マッピング規則および周波数優先関連付け規則は、周波数優先規則とも呼称される。
【０１０８】
（１）マッピングの対象は、時間方向に早いＯＦＤＭシンボル、かつ、最も低い周波数のサブキャリアのリソースエレメントにマッピングされる。さらに、マッピングの対象は、そのリソースエレメントから周波数が高くなる方向のリソースエレメントに順にマッピングされる。
【０１０９】
（２）マッピングするリソースエレメントがそのＯＦＤＭシンボルに存在しない場合、マッピングの対象は、次のＯＦＤＭシンボル、かつ、最も低い周波数のサブキャリアのリソースエレメントにマッピングされる。さらに、マッピングの対象は、そのリソースエレメントから周波数が高くなる方向のリソースエレメントに順にマッピングされる。
【０１１０】
（３）マッピングするリソースエレメントがその領域内に存在しなくなるまで、（２）が繰り返される。
【０１１１】
また、そのマッピングは、マッピングの対象とは異なる衝突信号（上書き信号、割り込み信号）がマッピングされるリソースエレメントは除外される。すなわち、マッピングの対象がマッピングされる領域内のリソースエレメントに、マッピングの対象とは異なる衝突信号（上書き信号、割り込み信号）がマッピングされる場合、そのマッピングの対象は、そのリソースエレメントを飛び越して（スキップして）、次にマッピングするリソースエレメントにマッピングされる。ここで、衝突信号は、セル固有参照信号、伝送路状況測定用参照信号、端末固有参照信号、ＥＰＤＣＣＨ復調用参照信号、ＥＰＤＣＣＨ、ＰＤＣＣＨ、チャネル、報知チャネル、同期信号、および／またはデータなどを含む。なお、マッピングの対象がマッピングされる領域内のリソースエレメントに、マッピングの対象とは異なる衝突信号がマッピングされる場合、そのマッピングの対象は、そのリソースエレメントを飛び越さず（スキップせず）にマッピングするが、衝突信号がそのリソースエレメントに上書きすることが出来る。すなわち、衝突信号がマッピングされるリソースエレメントに対するマッピングの対象は、パンクチャされる。また、衝突信号がマッピングされるリソースエレメントに対して、マッピングの対象が飛び越すか、パンクチャされるかは、衝突信号に応じて決定されてもよい。
【０１１２】
図５では、ＥＲＥＧ０〜ＥＲＥＧ１５のＥＲＥＧ番号は、スロット０において、（０，０）からｋが増加するリソースエレメントに順にマッピングされる。さらに、ｋが最大値になった場合、ＥＲＥＧ番号は、ｌを増加し、（０，１）からｋが増加するリソースエレメントに順にマッピングされ、ｌが最大値になるまで繰り返される。さらに、スロット１は、スロット０に続いて、同様にマッピングが行われる。
【０１１３】
また、ＥＲＥＧ番号は、ＥＰＤＣＣＨ復調用参照信号がマッピングされるリソースエレメントを飛び越えてマッピングされる。また、ＥＲＥＧ番号は、セル固有参照信号、伝送路状況測定用参照信号および／またはＰＤＣＣＨ領域のマッピングに関わらず、マッピングされる。すなわち、ＥＲＥＧ番号は、ＥＰＤＣＣＨ復調用参照信号を除いて、リソースエレメントにマッピングされる信号に依存せずに、ＲＢペア内のリソースエレメントにマッピングされる。端末２００は、ＥＰＤＣＣＨ復調用参照信号、セル固有参照信号、伝送路状況測定用参照信号および／またはＰＤＣＣＨ領域がマッピングされるリソースエレメントに、ＥＰＤＣＣＨがマッピングされていないものと認識する。これにより、ＥＲＥＧの定義が、リソースエレメントにマッピングされる信号に依存せずに決まるため、基地局１００および端末２００における処理や記憶容量を低減することができる。
【０１１４】
図６は、１つのＲＢペアにおけるＥＲＥＧ番号に対するリソースエレメントの組み合わせを示す図である。図６は、図５で示したＥＲＥＧ構成におけるＥＲＥＧ番号に対するリソースエレメントの組み合わせである。それぞれのＥＲＥＧは、９つのリソースエレメントで構成される。
【０１１５】
また、ＥＣＣＥは、所定数のＥＲＥＧにより構成される。例えばＥＣＣＥは、４または８のＥＲＥＧにより構成される。ここで、ＲＢペアにおいて、ＥＰＤＣＣＨのマッピングに用いることができるリソースエレメントの数は、セル固有参照信号、伝送路状況測定用参照信号および／またはＰＤＣＣＨ領域がマッピングされるリソースエレメントの数に依存して決定される。すなわち、ＥＰＤＣＣＨのマッピングに用いることができるリソースエレメントの数は、セル固有参照信号、伝送路状況測定用参照信号および／またはＰＤＣＣＨ領域を除いたリソースエレメントの数であるＥＣＣＥを構成するＥＲＥＧの数は、ＲＢペアにおいて、ＥＰＤＣＣＨのマッピングに用いることができるリソースエレメントの数に応じて決定される。例えば、ＥＰＤＣＣＨのマッピングに用いることができるリソースエレメントの数が所定数以上である時ＥＣＣＥを構成するＥＲＥＧの数は４である。ＥＰＤＣＣＨのマッピングに用いることができるリソースエレメントの数が所定数より少ない時ＥＣＣＥを構成するＥＲＥＧの数は８である。その所定数は、そのＥＣＣＥを用いてマッピングされるＥＰＤＣＣＨが所定の符号化率を下回らないように設定されることが好ましい。これにより、端末２００は、ＥＰＤＣＣＨの受信に際して、所定の受信品質を保つことが可能になる。
【０１１６】
また、ＥＣＣＥは、１つまたは複数のＲＢペアにおけるＥＲＥＧにより構成される。すなわち、ＥＲＥＧとＥＣＣＥとのマッピング規則（マッピング方法、関連付け）は、複数規定される。ＥＲＥＧとＥＣＣＥとのマッピング規則は、分散マッピング（分散送信）または局所マッピング（局所送信）である。また、ＥＲＥＧとＥＣＣＥとのマッピング規則は、ＥＰＤＣＣＨ領域毎に設定することができる。それぞれのＥＰＤＣＣＨ領域には、分散マッピングまたは局所マッピングが設定される。基地局１００は、端末２００に対するＥＰＤＣＣＨに関する設定に、分散マッピングまたは局所マッピングを示す設定を含むことができる。分散マッピングではＥＣＣＥは、複数のＲＢペアにおけるＥＲＥＧを用いてマッピングされ、複数のＲＢペアに分散されて構成される。分散マッピングの場合ＥＣＣＥを構成するＥＲＥＧの一部は、異なるＲＢペアにおけるＥＲＥＧにマッピングされる。局所マッピングではＥＣＣＥは、１つのＲＢペアに、局所的にマッピングされる。局所マッピングの場合ＥＣＣＥを構成するＥＲＥＧの全部は、１つのＲＢペアにおけるＥＲＥＧを用いてマッピングされる。
【０１１７】
また、ＥＣＣＥを構成するＥＲＥＧは、所定のＥＲＥＧ番号のＥＲＥＧにすることができる。
【０１１８】
ＥＣＣＥが４つのＥＲＥＧにより構成される場合、そのＥＲＥＧのＥＲＥＧ番号は、mod(i,16)、mod(i+4,16)、mod(i+8,16)、およびmod(i+12,16)とすることができる。ただし、ｉは整数であり、mod(a,b)はａをbで除算した余りを示す。
【０１１９】
ＥＣＣＥが８つのＥＲＥＧにより構成される場合、そのＥＲＥＧのＥＲＥＧ番号は、mod(i,16)、mod(i+2,16)、mod(i+4,16)、mod(i+6,16)、mod(i+8,16)、mod(i+10,16)、mod(i+12,16)、およびmod(i+14,16)とすることができる。
【０１２０】
ＥＣＣＥが４つのＥＲＥＧにより構成され、ＥＰＤＣＣＨが局所マッピングされる場合、それぞれのＲＢペアにおいて、４つのＥＣＣＥが構成される。その場合、ｉは０から３の整数である。あるＥＣＣＥは、同一のＲＢペアにおけるＥＲＥＧ０、ＥＲＥＧ４、ＥＲＥＧ８およびＥＲＥＧ１２で構成される。別のＥＣＣＥは、同一のＲＢペアにおけるＥＲＥＧ１、ＥＲＥＧ５、ＥＲＥＧ９およびＥＲＥＧ１３で構成される。別のＥＣＣＥは、同一のＲＢペアにおけるＥＲＥＧ２、ＥＲＥＧ６、ＥＲＥＧ１０およびＥＲＥＧ１４で構成される。別のＥＣＣＥは、同一のＲＢペアにおけるＥＲＥＧ３、ＥＲＥＧ７、ＥＲＥＧ１１およびＥＲＥＧ１５で構成される。
【０１２１】
ＥＣＣＥが８つのＥＲＥＧにより構成され、ＥＰＤＣＣＨが局所マッピングされる場合、それぞれのＲＢペアにおいて、２つのＥＣＣＥが構成される。その場合、ｉは０または１である。あるＥＣＣＥは、同一のＲＢペアにおけるＥＲＥＧ０、ＥＲＥＧ２、ＥＲＥＧ４、ＥＲＥＧ６、ＥＲＥＧ８、ＥＲＥＧ１０、ＥＲＥＧ１２およびＥＲＥＧ１４で構成される。別のＥＣＣＥは、同一のＲＢペアにおけるＥＲＥＧ１、ＥＲＥＧ３、ＥＲＥＧ５、ＥＲＥＧ７、ＥＲＥＧ９、ＥＲＥＧ１１、ＥＲＥＧ１３およびＥＲＥＧ１５で構成される。
【０１２２】
ＥＰＤＣＣＨが分散マッピングされる場合、それぞれのＥＣＣＥは、複数のＲＢペアにおけるＥＲＥＧで構成される。また、あるＥＣＣＥの構成において、ＥＲＥＧを構成するＲＢペアは、ＥＰＤＣＣＨ領域を構成するＲＢペアの数によって決定することができる。ＥＣＣＥが４つのＥＲＥＧにより構成され、ＥＰＤＣＣＨ領域が４つのＲＢペアで構成される場合、それぞれのＥＣＣＥは異なるＲＢペアにおけるＥＲＥＧで構成される。その場合、１６のＥＣＣＥが構成され、ｉは０から１５の整数である。例えば、あるＥＣＣＥは、異なるＲＢペアにおけるＥＲＥＧ０、ＥＲＥＧ４、ＥＲＥＧ８およびＥＲＥＧ１２で構成される。別のＥＣＣＥは、異なるＲＢペアにおけるＥＲＥＧ１、ＥＲＥＧ５、ＥＲＥＧ９およびＥＲＥＧ１３で構成される。別のＥＣＣＥは、異なるＲＢペアにおけるＥＲＥＧ２、ＥＲＥＧ６、ＥＲＥＧ１０およびＥＲＥＧ１４で構成される。別のＥＣＣＥは、異なるＲＢペアにおけるＥＲＥＧ３、ＥＲＥＧ７、ＥＲＥＧ１１およびＥＲＥＧ１５で構成される。
【０１２３】
また、ＥＣＣＥが４つのＥＲＥＧにより構成され、ＥＰＤＣＣＨ領域が４つを超えるＲＢペアで構成される場合、ＥＰＤＣＣＨ領域が４つのＲＢペアで構成される場合と同様に、それぞれのＥＣＣＥは異なるＲＢペアにおけるＥＲＥＧで構成される。またＥＣＣＥが４つのＥＲＥＧにより構成され、ＥＰＤＣＣＨ領域が２つのＲＢペアで構成される場合、それぞれのＥＣＣＥはそれぞれのＲＢペアにおいて２つずつのＥＲＥＧで構成される。
【０１２４】
ＥＣＣＥが８つのＥＲＥＧにより構成され、ＥＰＤＣＣＨ領域が８つのＲＢペアで構成される場合、それぞれのＥＣＣＥは異なるＲＢペアにおけるＥＲＥＧで構成される。その場合、１６のＥＣＣＥが構成され、ｉは０から１５の整数である。例えば、あるＥＣＣＥは、異なるＲＢペアにおけるＥＲＥＧ０、ＥＲＥＧ２、ＥＲＥＧ４、ＥＲＥＧ６、ＥＲＥＧ８、ＥＲＥＧ１０、ＥＲＥＧ１２およびＥＲＥＧ１４で構成される。別のＥＣＣＥは、異なるＲＢペアにおけるＥＲＥＧ１、ＥＲＥＧ３、ＥＲＥＧ５、ＥＲＥＧ７、ＥＲＥＧ９、ＥＲＥＧ１１、ＥＲＥＧ１３およびＥＲＥＧ１５で構成される。
【０１２５】
なお、ＥＣＣＥが８つのＥＲＥＧにより構成され、ＥＰＤＣＣＨ領域が８つ以上のＲＢペアで構成される場合であっても、それぞれのＥＣＣＥは４つのＲＢペアにおけるＥＲＥＧで構成されてもよい。これにより、ＥＰＤＣＣＨ領域にマッピングするＥＰＤＣＣＨの数が少ない場合、ＥＰＤＣＣＨ領域の一部のＲＢペアをＥＰＤＣＣＨのマッピングに用いず、ＰＤＳＣＨなどの他のチャネルのマッピングに用いることができる。そのため、リソースの利用効率が向上される。
【０１２６】
また、ＥＣＣＥが８つのＥＲＥＧにより構成され、ＥＰＤＣＣＨ領域が８つを超えるＲＢペアで構成される場合、ＥＰＤＣＣＨ領域が８つのＲＢペアで構成される場合と同様に、それぞれのＥＣＣＥは異なるＲＢペアにおけるＥＲＥＧで構成される。またＥＣＣＥが８つのＥＲＥＧにより構成され、ＥＰＤＣＣＨ領域が４つのＲＢペアで構成される場合、それぞれのＥＣＣＥはそれぞれのＲＢペアにおいて２つずつのＥＲＥＧで構成される。またＥＣＣＥが４つのＥＲＥＧにより構成され、ＥＰＤＣＣＨ領域が２つのＲＢペアで構成される場合、それぞれのＥＣＣＥはそれぞれのＲＢペアにおいて４つずつのＥＲＥＧで構成される。
【０１２７】
以上のことから、基地局１００が端末２００に対するＥＰＤＣＣＨのＰＲＢペアへのマッピング方法は、以下の通りである。まず、ＥＰＤＣＣＨは、１つまたは複数のＥＣＣＥにマッピングされる。次に、分散マッピングの場合ＥＣＣＥを構成する複数のＥＲＥＧは、複数のＲＢペアにおけるＥＲＥＧにマッピングされる。また、局所マッピングの場合ＥＣＣＥを構成する複数のＥＲＥＧは、１つのＲＢペアにおけるＥＲＥＧにマッピングされる。次に、それぞれのＥＲＥＧを構成する１つまたは複数のＲＢペアは、ＥＰＤＣＣＨ領域のＰＲＢペアにマッピングされる。
【０１２８】
ここで、ＥＰＤＣＣＨ領域として用いられるＲＢペアの番号付けは、様々な方法を用いることができる。ＥＰＤＣＣＨ領域として用いられるＲＢペアの番号付けは、予め規定された規則によって行われる。例えば、ＥＰＤＣＣＨ領域として用いられるＲＢペアの番号は、ＥＰＤＣＣＨ領域において、周波数の低いＲＢペアから順に設定されてもよい。
【０１２９】
一方、端末２００が基地局１００から通知されるＥＰＤＣＣＨを検出するための方法は、以下の通りである。まず、端末２００は、基地局１００から設定されるＥＰＤＣＣＨ領域のＰＲＢペアを、ＥＰＤＣＣＨ領域として用いられるＲＢペアとして認識する。次に、端末２００は、ＥＰＤＣＣＨ領域として用いられるＲＢペアの各々においてＥＣＣＥを構成するＥＲＥＧを認識する。次に、端末２００は、ＥＰＤＣＣＨが局所マッピングまたは分散マッピングされているかに応じて、認識されたＥＲＥＧまたはリソースエレメントに基づいてＥＣＣＥを認識する。さらに、端末２００は、認識したＥＣＣＥに基づいて、ＥＰＤＣＣＨの検出処理（ブラインドデコーディング）を行う。
【０１３０】
次に、以上で説明したＥＲＥＧ構成およびＥＣＣＥ構成による効果を説明する。ＥＰＤＣＣＨ領域として用いられるＲＢペアのリソースエレメントは、ＰＤＣＣＨ、セル固有参照信号、伝送路状況測定用参照信号、端末固有参照信号、報知チャネル、同期信号等がマッピング（多重）されるかもしれない。特に、端末固有参照信号がＥＰＤＣＣＨを検出（復調）するために用いられる場合、アンテナポート１０７〜１１０のＥＰＤＣＣＨ復調用参照信号の一部または全部は、ＥＰＤＣＣＨがマッピングされるＲＢペアに、マッピング（多重）される。なお、ＥＰＤＣＣＨ領域として用いられるＲＢペアのリソースエレメントは、ＰＤＣＣＨ、セル固有参照信号、伝送路状況測定用参照信号、報知チャネル、同期信号はマッピングされなくてもよい。また、ＥＰＤＣＣＨがマッピングされる１つのＲＢペアにおいて、図４に示されるようにＣＤＭグループ１およびＣＤＭグループ２のＥＰＤＣＣＨ復調用参照信号が用いられる場合、ＥＰＤＣＣＨをマッピングできるリソースエレメントの数は、そのＥＰＤＣＣＨ復調用参照信号がマッピングされるリソースエレメントを除いて、１４４である。
【０１３１】
以上で説明した方法を用いて構成されるＥＲＥＧおよびＥＲＥＧにおいて、ＣＤＭグループ１およびＣＤＭグループ２のＥＰＤＣＣＨ復調用参照信号のみがマッピングされる場合、それぞれのＥＲＥＧを構成するリソースエレメントの数は９または１８である。また、そのＥＲＥＧ構成に基づいて得られるＥＣＣＥ構成において、ＣＤＭグループ１およびＣＤＭグループ２のＥＰＤＣＣＨ復調用参照信号のみがマッピングされる場合、それぞれのＥＣＣＥを構成するリソースエレメントの数は３６である。ここで、ＰＤＣＣＨに用いられるＣＣＥを構成するリソースエレメントの数は３６である。ＥＰＤＣＣＨに用いられるＥＣＣＥを構成するリソースエレメントの数と、ＰＤＣＣＨに用いられるＣＣＥを構成するリソースエレメントの数とが同じである。そのため、ＥＰＤＣＣＨは、ＰＤＣＣＨと同様の送信方法、受信方法、信号処理などを用いることができる。すなわち、ＰＤＣＣＨおよびＥＰＤＣＣＨの送信方法、受信方法、信号処理などは共通化することができるため、基地局１００および端末２００の負荷は軽減できる。
【０１３２】
また、ＥＰＤＣＣＨがマッピングされるＲＢペアにおいて、ＰＤＣＣＨおよび／またはセル固有参照信号がマッピングされる場合、ＥＰＤＣＣＨがマッピングできるリソースエレメントの数は減少する。ここで、ＥＰＤＣＣＨがマッピングできるリソースエレメントの数が減少する場合において、図５に示すＥＲＥＧ構成に基づいて得られるＥＣＣＥ間におけるリソースエレメントの数のばらつきを説明する。まず、セル固有参照信号のアンテナポート数が１（アンテナポート０）である場合、ＰＤＣＣＨの数（０〜３）に関わらずＥＣＣＥ間におけるリソースエレメントの数の最大値と最小値との差は１である。また、セル固有参照信号のアンテナポート数が２（アンテナポート０および１）である場合、ＰＤＣＣＨの数（０〜３）に関わらずＥＣＣＥ間におけるリソースエレメントの数の最大値と最小値との差は０でありＥＣＣＥ間におけるリソースエレメントの数のばらつきは無い。また、セル固有参照信号のアンテナポート数が４（アンテナポート０〜３）である場合、ＰＤＣＣＨの数（０〜３）に関わらずＥＣＣＥ間におけるリソースエレメントの数の最大値と最小値との差は０でありＥＣＣＥ間におけるリソースエレメントの数のばらつきは無い。すなわち、図５に示すＥＲＥＧ構成を用いることによって、そのＥＲＥＧ構成に基づいて得られるＥＣＣＥ間におけるリソースエレメントの数のバラツキは、ＰＤＣＣＨ領域とセル固有参照信号のアンテナポート数との可能性のある組み合わせに関わらず、抑制される。そのため、ＥＰＤＣＣＨの送信に用いるＥＣＣＥによって、リソースの大きさはほとんど変わらないことになる。すなわち、ＥＰＤＣＣＨの送信に用いるＥＣＣＥによって、ＥＰＤＣＣＨに対する符号化利得による伝送特性の差は小さいことになる。これにより、基地局１００が端末２００に対してＥＰＤＣＣＨを送信する際のスケジューリング処理の負荷は大幅に低減できる。
【０１３３】
また、セル固有参照信号のアンテナポート数が１（アンテナポート０）である場合、ＥＰＤＣＣＨがマッピングされるＲＢペアは、セル固有参照信号のアンテナポート数が２（アンテナポート０および１）であると見なすことができる。すなわち、基地局１００は、その基地局が送信するセル固有参照信号のアンテナポート数が１（アンテナポート０）である場合、端末２００に対してＥＰＤＣＣＨを送信する際に、セル固有参照信号のアンテナポート数が２（アンテナポート０および１）であると想定して、ＥＰＤＣＣＨをマッピングする。端末２００は、基地局１００が送信するセル固有参照信号のアンテナポート数が１（アンテナポート０）である場合、その基地局１００から送信されるＥＰＤＣＣＨを検出する際に、セル固有参照信号のアンテナポート数が２（アンテナポート０および１）であると想定して、ＥＰＤＣＣＨをデマッピングする。
【０１３４】
以下では、ＥＰＤＣＣＨの送信に用いられるリソースとＥＰＤＣＣＨ復調用参照信号のアンテナポートとの関連付け（マッピング、対応）について説明する。既に説明したように、基地局１００は、ＥＰＤＣＣＨと、そのＥＰＤＣＣＨに関連付けられるＥＰＤＣＣＨ復調用参照信号とを送信する。また、端末２００は、ＥＰＤＣＣＨ復調用参照信号を用いてＥＰＤＣＣＨを検出（復調）する。ＥＰＤＣＣＨの送信に用いられるリソースと、ＥＰＤＣＣＨ復調用参照信号のアンテナポートとは、所定の方法を用いて関連付けられる。ここで、ＥＰＤＣＣＨの送信に用いられるリソースは、ＥＰＤＣＣＨ領域、ＥＰＤＣＣＨ、ＥＲＥＧ、ＥＲＥＧセット、ＥＣＣＥ、またはリソースエレメントである。なお、ＥＰＤＣＣＨ復調用参照信号は、単に参照信号とも呼称される。
【０１３５】
また、ＥＰＤＣＣＨの送信に用いられるリソースとＥＰＤＣＣＨ復調用参照信号のアンテナポートとの関連付けは、ＥＰＤＣＣＨに関する設定に基づいて切り替えることができる。例えば、ＥＰＤＣＣＨの送信に用いられるリソースとＥＰＤＣＣＨ復調用参照信号のアンテナポートとの関連付けは、ＥＰＤＣＣＨが局所マッピングにより送信される場合と、ＥＰＤＣＣＨが分散マッピングにより送信される場合とで異なることができる。すなわち、ＥＰＤＣＣＨ領域に設定されるマッピング規則が局所マッピングまたは分散マッピングに応じて、ＥＰＤＣＣＨの送信に用いられるリソースとＥＰＤＣＣＨ復調用参照信号のアンテナポートとの関連付けが決定される。
【０１３６】
ＥＰＤＣＣＨが局所マッピングを用いて送信される場合、ＥＰＤＣＣＨ毎に、関連付けられるアンテナポートが決定される。まず、それぞれのＲＢペアにおいて、それぞれのＥＣＣＥはアンテナポート１０７〜１１０のいずれかに関連付けられる。例えば、それぞれのＲＢペアにおいて、ＥＣＣＥ番号の小さいＥＣＣＥから、アンテナポート１０７〜１１０が順に関連付けられる。すなわち、局所マッピングにおけるＥＣＣＥの各々は、異なるアンテナポートに対応付けられる。また、ＥＣＣＥ集合レベルが２以上の場合、それぞれのＥＰＤＣＣＨは、マッピングされる分割リソースに関連付けられるアンテナポートのいずれかを用いて送信されることができる。その場合、その関連付けは、端末固有ＩＤ、ＲＮＴＩ、ＲＢ番号、ＲＢペア番号、および／またはスロット番号にさらに基づいて決定されてもよい。
【０１３７】
なお、端末２００は、ブラインドデコーディングするＥＰＤＣＣＨの候補に対するＥＰＤＣＣＨ復調用参照信号のアンテナポートを、基地局１００から通知されてもよい。
【０１３８】
ＥＰＤＣＣＨが分散マッピングを用いて送信される場合、リソースエレメント毎に、関連付けられるアンテナポートが決定される。その関連付けは、様々な方法を用いることができる。また、以下の説明では、関連付けられるアンテナポートがアンテナポート１０７およびアンテナポート１０９を用いる場合を説明するが、これに限定されるものではない。例えば、関連付けられるアンテナポートがアンテナポート１０７およびアンテナポート１０８を用いてもよい。また、アンテナポート１０７は、第１のアンテナポートとも呼称される。アンテナポート１０９またはアンテナポート１０８は、第２のアンテナポートとも呼称される。
【０１３９】
ＥＰＤＣＣＨの送信に用いられるリソースエレメントとＥＰＤＣＣＨ復調用参照信号のアンテナポートとの関連付けの一例は、アンテナポート１０７およびアンテナポート１０９が、それぞれのＥＲＥＧにおいて、周波数優先マッピング規則によって交互に関連付けられる。
【０１４０】
これにより、それぞれのＥＲＥＧにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。
【０１４１】
ＥＰＤＣＣＨの送信に用いられるリソースエレメントとＥＰＤＣＣＨ復調用参照信号のアンテナポートとの関連付けの別の一例は、アンテナポート１０７およびアンテナポート１０９が、それぞれのＥＲＥＧにおいて、周波数優先マッピング規則によって交互に関連付けられる。さらに、関連付けるＥＲＥＧのＥＲＥＧ番号に応じて、アンテナポートの関連付けは、それぞれのＥＲＥＧにおいて、アンテナポート１０７またはアンテナポート１０９から行われる。例えば、アンテナポートの関連付けは、ＥＲＥＧ番号が奇数または偶数に応じて、それぞれのＥＲＥＧにおいて、アンテナポート１０７またはアンテナポート１０９から行われる。
【０１４２】
いいかえると、分散マッピングにおいては、物理リソースはＥＲＥＧを単位として与えられる。あるＥＲＥＧにあるそれぞれのリソースエレメントは２つのアンテナポート（つまりアンテナポート１０７と１０９）のうち片方と、交互に関連付けられる。このときリソースエレメントが含まれるＥＲＥＧ番号が偶数であればアンテナポート１０７から順に関連付けられ、このときリソースエレメントが含まれるＥＲＥＧ番号が奇数であればアンテナポート１０９から順に関連付けられる。
【０１４３】
ＥＲＥＧ番号が偶数のＥＲＥＧの場合、アンテナポートの関連付けは、それぞれのＥＲＥＧにおいて、アンテナポート１０７から行われる。ＥＲＥＧ番号が奇数のＥＲＥＧの場合、アンテナポートの関連付けは、それぞれのＥＲＥＧにおいて、アンテナポート１０９から行われる。これにより、それぞれのＥＲＥＧ、ＯＦＤＭシンボルおよびＲＢペアにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。また、アンテナポート間の送信電力の平均が同じになる。
【０１４４】
ＥＰＤＣＣＨの送信に用いられるリソースエレメントとＥＰＤＣＣＨ復調用参照信号のアンテナポートとの関連付けの別の一例は、アンテナポート１０７およびアンテナポート１０９が、それぞれのＥＲＥＧにおいて、周波数優先マッピング規則によって交互に関連付けられる。さらに、関連付けるＥＲＥＧのＥＲＥＧ番号に応じて、アンテナポートの関連付けは、それぞれのＥＲＥＧにおいて、アンテナポート１０７またはアンテナポート１０９から行われる。
【０１４５】
例えば、アンテナポートの関連付けは、それぞれのＥＲＥＧにおいて、ＥＲＥＧ番号を所定数Ｍで割った商（つまり、ＥＲＥＧ番号をＭで割った数に対し、基準値１としてフロア関数をとったもの）に基づいて、アンテナポート１０７またはアンテナポート１０９から行われる。
【０１４６】
例えば、Ｍが４であり、ＥＲＥＧ番号を４で割った商が偶数である場合、アンテナポートの関連付けはアンテナポート１０７から行われ、ＥＲＥＧ番号を４で割った商が奇数である場合、アンテナポートの関連付けはアンテナポート１０９から行われる。いいかえると、分散マッピングにおいては、物理リソースはＥＲＥＧを単位として与えられる。あるＥＲＥＧにあるそれぞれのリソースエレメントは２つのアンテナポート（つまりアンテナポート１０７と１０９）のうち片方と、交互に関連付けられる。このときリソースエレメントが含まれるＥＲＥＧ番号を４で割った商が偶数であればアンテナポート１０７から順に関連付けられ、このときリソースエレメントが含まれるＥＲＥＧ番号を４で割った商（つまり、ＥＲＥＧ番号を４で割った数に対し、基準値１としてフロア関数をとったもの）が奇数であればアンテナポート１０９から順に関連付けられる。
【０１４７】
具体的に例をあげると、アンテナポートの関連付けは、それぞれのＥＲＥＧにおいて、ＥＲＥＧ番号が０、１、２、３、８、９、１０および１１のＥＲＥＧの場合、アンテナポート１０７から行われ、ＥＲＥＧ番号が４、５、６、７、１２、１３、１４および１５のＥＲＥＧの場合、アンテナポート１０９から行われる。すなわち、ＥＣＣＥを構成するＥＲＥＧに関連付けられるアンテナポートの偏りが、ＥＣＣＥにおいて同じになるように、アンテナポートの関連付けを行う。これにより、それぞれのＥＲＥＧ、ＯＦＤＭシンボル、ＲＢペアおよびＥＣＣＥにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。また、アンテナポート間の送信電力の平均が同じになる。
【０１４８】
なお、以上の説明では、ＥＰＤＣＣＨの送信に用いられるリソースエレメントとＥＰＤＣＣＨ復調用参照信号のアンテナポートとの関連付けが、ＥＲＥＧ番号に基づいて、アンテナポート１０７およびアンテナポート１０９が交互に関連付けられる場合を説明したが、これに限定されるものではない。例えば、ＥＰＤＣＣＨの送信に用いられるリソースエレメントとＥＰＤＣＣＨ復調用参照信号のアンテナポートとの関連付けは、ＲＢペア番号、ＥＣＣＥ番号、サブフレーム番号、スロット番号、ＥＰＤＣＣＨ領域を識別する番号、および／または、ＥＰＤＣＣＨを識別する番号に基づいて、アンテナポート１０７およびアンテナポート１０９が交互に関連付けられることができる。
【０１４９】
なお、以上の説明では、ＥＰＤＣＣＨの送信に用いられるリソースエレメントとＥＰＤＣＣＨ復調用参照信号のアンテナポートとの関連付けが、それぞれのＥＲＥＧに対して、アンテナポート１０７およびアンテナポート１０９が交互に関連付けられる場合を説明したが、これに限定されるものではない。例えば、ＥＰＤＣＣＨの送信に用いられるリソースエレメントとＥＰＤＣＣＨ復調用参照信号のアンテナポートとの関連付けが行われるリソースは、ＲＢペア、ＥＣＣＥ、サブフレーム、スロット、ＥＰＤＣＣＨ領域、および／または、ＥＰＤＣＣＨであってもよい。
【０１５０】
具体的な例として、ＥＰＤＣＣＨの送信に用いられるリソースエレメントとＥＰＤＣＣＨ復調用参照信号のアンテナポートとの関連付けの別の一例は、アンテナポート１０７およびアンテナポート１０９が、それぞれのＥＲＥＧにおいて、ＲＢペア番号に基づいて、周波数優先マッピング規則によって交互に関連付けられることができる。ＥＰＤＣＣＨの送信に用いられるリソースエレメントとＥＰＤＣＣＨ復調用参照信号のアンテナポートとの関連付けは、ＲＢペア番号が偶数の場合、それぞれのＥＲＥＧにおいて、アンテナポート１０７から行われ、ＲＢペア番号が奇数の場合、それぞれのＥＲＥＧにおいて、アンテナポート１０９から行われる。
【０１５１】
また、以上で説明したアンテナポートの関連付けにおいては、衝突信号がマッピングされるリソースエレメントを除外するかもしれない。すなわち、アンテナポートの関連付けにおいて、アンテナポート１０７とアンテナポート１０９とが交互に（順に）関連付けられるＥＲＥＧ内のリソースエレメントに、衝突信号（上書き信号、割り込み信号）がマッピングされる場合、そのアンテナポートは、そのリソースエレメントを飛び越して（スキップして）、次に関連付けられるべきリソースエレメントに関連付けるかもしれない。ここで、衝突信号は、セル固有参照信号、伝送路状況測定用参照信号、端末固有参照信号、報知チャネル、同期信号、および／またはＰＤＣＣＨ領域などを含む。これにより、衝突信号に依存せず、それぞれのＥＲＥＧ、ＯＦＤＭシンボル、ＲＢペアおよび／またはＥＣＣＥにおいて、アンテナポート１０７に関連付けられるリソースエレメントの数とアンテナポート１０９に関連付けられるリソースエレメントの数とがほぼ同じにできる。
【０１５２】
なお、別の例として、アンテナポートが交互に（順に）関連付けられるＥＲＥＧ内のリソースエレメントに、伝送路状況測定用参照信号がマッピングされる場合、そのアンテナポートは、そのリソースエレメントを飛び越さず（スキップせず）に関連付け、さらに伝送路状況測定用参照信号がそのリソースエレメントに上書きされることが出来る。すなわち、伝送路状況測定用参照信号がマッピングされるリソースエレメントに対するアンテナポートは、パンクチャされる。これにより、ＥＰＤＣＣＨ領域を複数の端末で共有する場合、端末固有に設定される伝送路状況測定用参照信号がマッピングできる。
【０１５３】
また、衝突信号がＰＤＣＣＨ領域である場合、端末はそのＰＤＣＣＨ領域を、基地局１００から通知されるＣＦＩ（Control Field Indicator）から設定される。ＣＦＩがＲＲＣシグナリングを通じて設定されない場合、端末はサブフレーム中の所定のリソースエレメントにマッピングされるＰＣＦＩＣＨを通じて通知されるＣＦＩに基づいてＰＤＣＣＨ領域を認識する。ＣＦＩがＲＲＣシグナリングを通じて設定される場合、端末はＰＣＦＩＣＨを通じて通知されるＣＦＩに関わらず、ＲＲＣシグナリングを通じて通知されたＣＦＩに基づいてＰＤＣＣＨ領域を認識する。なお、ＣＦＩがＲＲＣシグナリングを通じて設定されない場合、端末はＰＣＦＩＣＨを通じて通知されるＣＦＩに関わらず、予め規定されたＣＦＩに基づいてＰＤＣＣＨ領域を認識してもよい。
【０１５４】
なお、アンテナポートの関連付けが、アンテナポート１０７から行われるか、アンテナポート１０９から行われるかは、ＥＲＥＧ番号に基づいて決定されることを説明したが、これに限定されるものではない。例えば、アンテナポートの関連付けが、アンテナポート１０７から行われるか、アンテナポート１０９から行われるかは、ＥＣＣＥ番号、ＥＰＤＣＣＨ番号、ＲＢペア番号、セルＩＤ、ＲＮＴＩなどに基づいて決定されてもよい。また、例えば、アンテナポートの関連付けが、アンテナポート１０７から行われるか、アンテナポート１０９から行われるかは、基地局１００から設定されてもよい。
【０１５５】
なお、アンテナポートの関連付けは、衝突信号に関わらず、固定されてもよい。例えば、それぞれのサブフレームにおいて、偶数番目のＯＦＤＭシンボルのリソースエレメントはアンテナポート１０７が関連付けられ、奇数番目のＯＦＤＭシンボルのリソースエレメントはアンテナポート１０９が関連付けられる。また、例えば、それぞれのサブフレームにおいて、奇数番目のＯＦＤＭシンボルのリソースエレメントはアンテナポート１０７が関連付けられ、偶数番目のＯＦＤＭシンボルのリソースエレメントはアンテナポート１０９が関連付けられる。
【０１５６】
また、以上で説明したアンテナポートの関連付けを行うＥＰＤＣＣＨ生成部の動作の一例を説明する。ＥＰＤＣＣＨ生成部は、端末に通知する制御チャネルであり、第１のアンテナポートおよび第２のアンテナポートに関連付けられるＥＰＤＣＣＨを生成する。ＥＰＤＣＣＨ生成部は、ＥＰＤＣＣＨの送信に割り当てられたＥＲＥＧに含まれるリソースエレメントにマッピングする。ＥＰＤＣＣＨ生成部は、それぞれのＥＲＥＧにおけるリソースエレメントに対して、第１のアンテナポートまたは第２のアンテナポートを、周波数優先規則によって交互に関連付ける。ＥＰＤＣＣＨ生成部は、ＥＰＤＣＣＨの複素シンボルを、第１のアンテナポートまたは第２のアンテナポートに関連付けられたリソースエレメントであり、前記ＥＰＤＣＣＨの送信に割り当てられたＥＲＥＧに含まれるリソースエレメントにマッピングする。
【０１５７】
また、以上で説明したアンテナポートの関連付けが行われたＥＰＤＣＣＨの検出を行うＥＰＤＣＣＨ処理部の動作の一例を説明する。ＥＰＤＣＣＨ処理部は、伝搬路推定部が推定した伝搬路推定値を用いて、ＥＰＤＣＣＨの送信に割り当てられたＥＲＥＧに含まれるリソースエレメントにマッピングされ、第１のアンテナポートおよび第２のアンテナポートに関連付けられるＥＰＤＣＣＨを検出する。ＥＰＤＣＣＨ処理部は、それぞれのＥＲＥＧにおけるリソースエレメントに対して、第１のアンテナポートおよび第２のアンテナポートが、周波数優先規則によって交互に関連付けられると想定して検出する。ＥＰＤＣＣＨ処理部は、ＥＰＤＣＣＨの複素シンボルが、前記第１のアンテナポートまたは前記第２のアンテナポートに関連付けられた前記リソースエレメントであり、前記ＥＰＤＣＣＨの送信に割り当てられたＥＲＥＧに含まれるリソースエレメントにマッピングされると想定して検出する。
【０１５８】
以下では、端末２００におけるＥＰＤＣＣＨを検索（探索、ブラインドデコーディング）するための領域であるＳＳ（Ｓｅａｒｃｈ  Ｓｐａｃｅ、探索領域）が説明される。端末２００は、基地局１００によってＥＰＤＣＣＨ領域（ＥＰＤＣＣＨセット）が設定され、ＥＰＤＣＣＨ領域における複数のＥＣＣＥを認識する。ＥＰＤＣＣＨ領域におけるＥＣＣＥの数は、そのＥＰＤＣＣＨ領域を構成するＲＢペアの数と、１つのＥＣＣＥを構成するＥＲＥＧの数とに応じて規定される。例えば、１つのＥＰＤＣＣＨ領域が２つのＲＢペアで構成され、１つのＥＣＣＥが４つのＥＲＥＧで構成される場合、そのＥＰＤＣＣＨ領域は８つのＥＣＣＥで構成される。また、例えば、１つのＥＰＤＣＣＨ領域が８つのＲＢペアで構成され、１つのＥＣＣＥが４つのＥＲＥＧで構成される場合、そのＥＰＤＣＣＨ領域は３２個のＥＣＣＥで構成される。また、例えば、１つのＥＰＤＣＣＨ領域が８つのＲＢペアで構成され、１つのＥＣＣＥが８つのＥＲＥＧで構成される場合、そのＥＰＤＣＣＨ領域は１６個のＥＣＣＥで構成される。また、それぞれのＥＣＣＥは、ＥＰＤＣＣＨ領域、セル、コンポーネントキャリア、物理セルＩＤ、仮想セルＩＤ、および／または、端末に固有のＥＣＣＥ番号が規定される。
【０１５９】
また、端末２００は、基地局１００によってＳＳが設定される。例えば、端末２００は、基地局１００によってＳＳとして認識するＥＣＣＥ番号が設定される。例えば、端末２００は、基地局１００によってＳＳとして認識するための、スタートＥＣＣＥ番号（基準となるＥＣＣＥ番号）となる１つのＥＣＣＥ番号が設定される。端末２００は、そのスタートＥＣＣＥ番号と、予め規定された規則とに基づいて、端末２００に固有のＳＳを認識する。ここで、スタートＥＣＣＥ番号は、基地局１００から端末２００に固有に通知される制御情報により設定される。また、スタートＥＣＣＥ番号は、基地局１００から端末２００に固有に設定されるＲＮＴＩに基づいて決定されてもよい。また、スタートＥＣＣＥ番号は、基地局１００から端末２００に固有に通知される制御情報と、基地局１００から端末２００に固有に設定されるＲＮＴＩに基づいて決定されてもよい。また、スタートＥＣＣＥ番号は、サブフレーム毎に番号付けされるサブフレーム番号またはスロット毎に番号付けされるスロット番号にさらに基づいて決定されてもよい。これにより、スタートＥＣＣＥ番号は、端末２００に固有であり、サブフレーム毎またはスロット毎に固有の情報となる。そのため、端末２００のＳＳは、サブフレーム毎またはスロット毎に異なるように設定することができる。また、そのＳＳをスタートＥＣＣＥ番号から認識するための規則は、様々な方法を用いることができる。
【０１６０】
端末２００におけるＥＰＤＣＣＨを検索するためのＳＳは、１つ以上のＥＣＣＥにより構成できる。すなわち、ＥＰＤＣＣＨ領域として設定された領域内のＥＣＣＥを単位とし、１つ以上のＥＣＣＥからなる集合（ＥＣＣＥアグリゲーション）により構成される。この集合を構成するＥＣＣＥの数を、「ＥＣＣＥ集合レベル」（ＥＣＣＥアグリゲーションレベル）と称す。なお、以降では、ＥＣＣＥアグリゲーションレベルは、単にアグリゲーションレベル（ＡＬ）とも称される。なお、ＳＳは、ＥＣＣＥ集合レベル毎に設定されてもよい。例えば、ＳＳを設定するスタートＥＣＣＥは、ＥＣＣＥ集合レベル毎に設定されてもよい。
【０１６１】
各ＥＣＣＥ集合レベルのＳＳは、複数のＥＰＤＣＣＨの候補の集合体により構成される。また、ＥＰＤＣＣＨの候補の数は、ＥＣＣＥ集合レベル毎に規定されてもよい。例えば、それぞれのＥＣＣＥ集合レベルにおいて、０個以上のＥＰＤＣＣＨの候補の数が規定されることができる。
【０１６２】
ＥＣＣＥ集合レベルが１の場合（ＡＬ１）、ＥＰＤＣＣＨの候補は１個のＥＣＣＥにより構成される。ＥＣＣＥ集合レベルが２の場合（ＡＬ２）、ＥＰＤＣＣＨの候補は２個のＥＣＣＥの集合により構成される。ＥＣＣＥ集合レベルが４の場合（ＡＬ４）、ＥＰＤＣＣＨの候補は４個のＥＣＣＥの集合により構成される。ＥＣＣＥ集合レベルが８の場合（ＡＬ８）、ＥＰＤＣＣＨの候補は８個のＥＣＣＥの集合により構成される。ＥＣＣＥ集合レベルが１６の場合（ＡＬ１６）、ＥＰＤＣＣＨの候補は１６個のＥＣＣＥの集合により構成される。
【０１６３】
基地局１００は、端末２００において設定されるＥＣＣＥ内の１個以上のＥＣＣＥを用いてＥＰＤＣＣＨを送信する。端末２００は、ＳＳ内の１個以上のＥＣＣＥを用いて受信信号の復号を行い、自身宛てのＥＰＤＣＣＨを検出するための処理を行う（ブラインドデコーディングする）。端末２００は、ＥＣＣＥ集合レベル毎に異なるＳＳを設定する。その後、端末２００は、ＥＣＣＥ集合レベル毎に異なるＳＳ内の予め決められた組み合わせのＥＣＣＥに対してブラインドデコーディングを行う。言い換えると、端末２００は、ＥＣＣＥ集合レベル毎に独立なＳＳ内の各ＥＰＤＣＣＨの候補に対してブラインドデコーディングを行う（ＥＰＤＣＣＨをモニタリングする）。
【０１６４】
また、ＥＣＣＥ集合レベルに対するＥＰＤＣＣＨの候補数（ブラインドデコーディング数）の組み合わせが規定されることができる。ＥＣＣＥ集合レベルに対するＥＰＤＣＣＨの候補数の組み合わせは、ＥＰＤＣＣＨ候補数の組み合わせとも呼称される。ＥＰＤＣＣＨ候補数の組み合わせ(AL1,AL2,AL4,AL8,AL16)が(8,4,2,1,0)で表される場合、ＡＬ１のＥＰＤＣＣＨ候補数は８であり、ＡＬ２のＥＰＤＣＣＨ候補数は４であり、ＡＬ４のＥＰＤＣＣＨ候補数は２であり、ＡＬ８のＥＰＤＣＣＨ候補数は１であり、ＡＬ１６のＥＰＤＣＣＨ候補数は０である。
【０１６５】
ＥＰＤＣＣＨ候補数の組み合わせは、ＥＰＤＣＣＨセット毎に独立に規定できる。また、ＥＰＤＣＣＨ候補数の組み合わせは、複数規定され、所定の条件に基づいて切り替えることができる。例えば、ＥＰＤＣＣＨ候補数の組み合わせを規定する条件は、設定されるＥＰＤＣＣＨセットの数、ＥＲＥＧとＥＣＣＥとのマッピング規則、ＥＰＤＣＣＨセットを構成するＲＢペア数、ＤＣＩフォーマット、ＥＰＤＣＣＨセットに対するスタートシンボル数、ＥＰＤＣＣＨセットが設定されるサブフレームの種類、ＥＰＤＣＣＨセットが設定されるリソースのサイクリックプレフィックスの種類、および／または、ＥＰＤＣＣＨセット内のＲＢペアにおけるＥＰＤＣＣＨをマッピングするために利用可能なリソースエレメント数などを用いることができる。
【０１６６】
ここで、ＥＰＤＣＣＨセット内のＲＢペアにおけるＥＰＤＣＣＨをマッピングするために利用可能なリソースエレメント数は、端末２００固有に定義される。その利用可能なリソースエレメント数として定義されるリソースエレメントは、以下の基準を満たす。
【０１６７】
（１）その利用可能なリソースエレメントは、そのＲＢペアにおける１６個のＥＲＥＧのリソースエレメントである。
【０１６８】
（２）その利用可能なリソースエレメントは、ＣＲＳまたは端末２００に設定されたＣＳＩ−ＲＳのために用いられないリソースエレメントである。
【０１６９】
（３）その利用可能なリソースエレメントは、サブフレーム内の最初のスロットにおけるＯＦＤＭシンボル番号が所定数以下を満たす。ただし、その所定数は、ＰＤＣＣＨシグナリングおよび／またはＲＲＣシグナリングを通じてＥＰＤＣＣＨセット毎に設定される。すなわち、その利用可能なリソースエレメントは、サブフレーム内のスタートとなるＯＦＤＭシンボル番号であるスタートＯＦＤＭシンボルが示すＯＦＤＭシンボルから、そのサブフレームの最後のＯＦＤＭシンボルまでのリソースエレメントである。また、スタートＯＦＤＭシンボルは、ＰＤＣＣＨシグナリングおよび／またはＲＲＣシグナリングを通じて、ＥＰＤＣＣＨセット毎に独立に設定されることができる。
【０１７０】
ＥＰＤＣＣＨ候補数の組み合わせを規定する条件の具体的な例は、ＥＰＤＣＣＨセット内の各ＲＢペアにおいてＥＰＤＣＣＨをマッピングするために利用可能なリソースエレメント数に基づいて規定される。
【０１７１】
例えば、第１の条件は、ＥＰＤＣＣＨセット内の各ＲＢペアにおいてＥＰＤＣＣＨをマッピングするために利用可能なリソースエレメント数が所定の値（しきい値）より小さい場合（所定の値以下も含む）を満たす条件である。第２の条件は、ＥＰＤＣＣＨセット内の各ＲＢペアにおいてＥＰＤＣＣＨをマッピングするために利用可能なリソースエレメント数が所定の値（しきい値）より大きい場合（所定の値以上も含む）を満たす条件である。
【０１７２】
また、第１の条件と第２の条件を切り替えるために用いられる所定の値は、予め規定される、または、基地局により設定されることができる。その所定の値は、そのリソースエレメントを用いた時のＥＰＤＣＣＨに対する受信品質に基づいて規定することができる。例えば、その所定の値は、１０４であるかもしれない。
【０１７３】
なお、３つ以上の条件が、予め規定される、または、基地局により設定されることができる。その場合、その条件の数に応じて、ＥＰＤＣＣＨ候補数の組み合わせが規定される。
【０１７４】
ＥＰＤＣＣＨ候補数の組み合わせを規定する条件の具体的な別の例は、ＥＰＤＣＣＨセット内の各ＲＢペアにおいてＥＰＤＣＣＨをマッピングするために利用可能なリソースエレメント数と、ＥＰＤＣＣＨセットがマッピングされるサブフレームの種類と、ＥＰＤＣＣＨセットが設定されるリソースのサイクリックプレフィックス（ＣＰ）の種類とに基づいて規定される。
【０１７５】
例えば、第１の条件は、ＥＰＤＣＣＨセット内の各ＲＢペアにおいてＥＰＤＣＣＨをマッピングするために利用可能なリソースエレメント数が所定の値（しきい値）より小さい場合（所定の値以下も含む）であり、ＥＰＤＣＣＨセットがマッピングされるサブフレームの種類が所定のサブフレームであり、ＥＰＤＣＣＨセットが設定されるリソースのサイクリックプレフィックスの種類がノーマルＣＰである場合を満たす条件である。第２の条件は、第１の条件に含まれない場合を満たす条件である。例えば、第２の条件は、ＥＰＤＣＣＨセット内の各ＲＢペアにおいてＥＰＤＣＣＨをマッピングするために利用可能なリソースエレメント数が所定の値（しきい値）より大きい場合（所定の値以上も含む）であり、ＥＰＤＣＣＨセットがマッピングされるサブフレームの種類が第１の条件に含まれないサブフレームであり、ＥＰＤＣＣＨセットが設定されるリソースのサイクリックプレフィックスの種類が拡張ＣＰである場合を満たす条件である。
【０１７６】
また、第１の条件と第２の条件を切り替えるために用いられる所定の値は、予め規定される、または、基地局により設定されることができる。その所定の値は、そのリソースエレメントを用いた時のＥＰＤＣＣＨに対する受信品質に基づいて規定することができる。例えば、その所定の値は、１０４であるかもしれない。
【０１７７】
なお、３つ以上の条件が、予め規定される、または、基地局により設定されることができる。その場合、その条件の数に応じて、ＥＰＤＣＣＨ候補数の組み合わせが規定される。
【０１７８】
ＥＰＤＣＣＨ候補数の組み合わせを規定する条件の具体的な別の例は、ＥＰＤＣＣＨセット内の各ＲＢペアにおいてＥＰＤＣＣＨをマッピングするために利用可能なリソースエレメント数と、１つのＥＣＣＥを構成するＥＲＥＧ数とに基づいて規定される。
【０１７９】
例えば、第１の条件は、ＥＰＤＣＣＨセット内の各ＲＢペアにおいてＥＰＤＣＣＨをマッピングするために利用可能なリソースエレメント数が所定の値（しきい値）より小さい場合（所定の値以下も含む）であり、１つのＥＣＣＥが４つのＥＲＥＧで構成される場合を満たす条件である。第２の条件は、第１の条件に含まれない場合を満たす条件である。例えば、第２の条件の１つは、ＥＰＤＣＣＨセット内の各ＲＢペアにおいてＥＰＤＣＣＨをマッピングするために利用可能なリソースエレメント数が所定の値（しきい値）より大きい場合（所定の値以上も含む）であり、１つのＥＣＣＥが４つのＥＲＥＧで構成される場合を満たす条件である。第２の条件のもう１つは、１つのＥＣＣＥが８つのＥＲＥＧで構成される場合を満たす条件である。
【０１８０】
また、第１の条件と第２の条件を切り替えるために用いられる所定の値は、予め規定される、または、基地局により設定されることができる。その所定の値は、そのリソースエレメントを用いた時のＥＰＤＣＣＨに対する受信品質に基づいて規定することができる。例えば、その所定の値は、１０４であるかもしれない。
【０１８１】
なお、３つ以上の条件が、予め規定される、または、基地局により設定されることができる。その場合、その条件の数に応じて、ＥＰＤＣＣＨ候補数の組み合わせが規定される。
【０１８２】
以下の説明では、ＥＰＤＣＣＨ候補数の組み合わせは、ＥＰＤＣＣＨセット内の各ＲＢペアにおいてＥＰＤＣＣＨをマッピングするために利用可能なリソースエレメント数に少なくとも基づいて、独立に規定される。例えば、第１の条件は、ＥＰＤＣＣＨセット内の各ＲＢペアにおいてＥＰＤＣＣＨをマッピングするために利用可能なリソースエレメント数が所定の値（しきい値）より小さい場合である。第２の条件は、ＥＰＤＣＣＨセット内の各ＲＢペアにおいてＥＰＤＣＣＨをマッピングするために利用可能なリソースエレメント数が所定の値（しきい値）より大きい場合である。
【０１８３】
しかし、既に説明したように、ＥＰＤＣＣＨ候補数の組み合わせは、ＥＰＤＣＣＨセット内の各ＲＢペアにおいてＥＰＤＣＣＨをマッピングするために利用可能なリソースエレメント数に関する条件以外にも様々な条件に基づいて規定できる。また、ＥＰＤＣＣＨ候補数の組み合わせを規定する条件は、単独または複数を組み合わせて用いることができる。
【０１８４】
図７は、１つのＥＰＤＣＣＨセットが設定された場合のＥＰＤＣＣＨ候補数の組み合わせの例を示す図である。図７の例では、ＥＰＤＣＣＨ候補数の組み合わせは、そのＥＰＤＣＣＨセットを構成するＲＢペアの数Ｎと、そのＥＰＤＣＣＨセットに対する条件と、に対して独立に規定される。例えば、ＥＰＤＣＣＨセットを構成するＲＢペアの数Ｎが４であり、そのＥＰＤＣＣＨセットに対する条件が第２の条件である場合、ＥＰＤＣＣＨ候補数の組み合わせは(4,6,3,2,1)である。
【０１８５】
図８〜１１は、２つのＥＰＤＣＣＨセットが設定された場合のＥＰＤＣＣＨ候補数の組み合わせの例を示す図である。図８〜１１の例では、ＥＰＤＣＣＨ候補数の組み合わせは、第１のＥＰＤＣＣＨセットおよび第２のＥＰＤＣＣＨセットを構成するそれぞれのＲＢペアの数Ｎ1およびＮ2と、第１のＥＰＤＣＣＨセットおよび第２のＥＰＤＣＣＨセットのそれぞれに対する条件と、に基づいて独立に規定される。
【０１８６】
図８は、第１のＥＰＤＣＣＨセットが第１の条件であり、第２のＥＰＤＣＣＨセットが第１の条件である場合における、ＥＰＤＣＣＨ候補数の組み合わせの例を示す図である。図９は、第１のＥＰＤＣＣＨセットが第１の条件であり、第２のＥＰＤＣＣＨセットが第２の条件である場合における、ＥＰＤＣＣＨ候補数の組み合わせの例を示す図である。図１０は、第１のＥＰＤＣＣＨセットが第２の条件であり、第２のＥＰＤＣＣＨセットが第１の条件である場合における、ＥＰＤＣＣＨ候補数の組み合わせの例を示す図である。図１１は、第１のＥＰＤＣＣＨセットが第２の条件であり、第２のＥＰＤＣＣＨセットが第２の条件である場合における、ＥＰＤＣＣＨ候補数の組み合わせの例を示す図である。
【０１８７】
すなわち、図８〜１１で示される例では、ＥＰＤＣＣＨ候補数の組み合わせは、第１のＥＰＤＣＣＨセットに対する条件と、第２のＥＰＤＣＣＨセットに対する条件とに基づいて、独立に規定される。
【０１８８】
以下では、図８〜１１で示されるように、ＥＰＤＣＣＨ候補数の組み合わせが、第１のＥＰＤＣＣＨセットに対する条件と、第２のＥＰＤＣＣＨセットに対する条件とに基づいて、独立に規定されることによる効果を説明する。
【０１８９】
既に説明したように、ＥＰＤＣＣＨがマッピングされ得るリソースはＥＰＤＣＣＨセット毎に独立に設定できる。すなわち、ＥＰＤＣＣＨセット内の各ＲＢペアにおいてＥＰＤＣＣＨをマッピングするために利用可能なリソースエレメント数は、ＥＰＤＣＣＨセット毎に独立であり、ＥＰＤＣＣＨセット毎に異なるかもしれない。特に、ＥＰＤＣＣＨセット内の各ＲＢペアにおいてＥＰＤＣＣＨをマッピングするために利用可能なリソースエレメント数は、ＥＰＤＣＣＨセット内の各ＲＢペアに対するスタートＯＦＤＭシンボルに大きく依存するかもしれない。また、そのスタートＯＦＤＭシンボルは、ＥＰＤＣＣＨセット毎に独立に設定できる。それ故、第１の条件に該当するＥＰＤＣＣＨセットと、第２の条件に該当するＥＰＤＣＣＨセットとが混在する可能性がある。
【０１９０】
しかし、ＥＰＤＣＣＨ候補数の組み合わせが、第１のＥＰＤＣＣＨセットに対する条件と、第２のＥＰＤＣＣＨセットに対する条件とに基づいて、独立に規定されることにより、それぞれのＥＰＤＣＣＨセットに該当する条件に応じて、好適なＥＰＤＣＣＨ候補数の組み合わせが適用できる。例えば、図８〜１１に示されるように、第１のＥＰＤＣＣＨセットおよび第２のＥＰＤＣＣＨセットのそれぞれが第１の条件または第２の条件であることによって４つの状態がある。具体的には、１つ目の状態は、第１のＥＰＤＣＣＨセットが第１の条件であり、第２のＥＰＤＣＣＨセットが第１の条件である。２つ目の状態は、第１のＥＰＤＣＣＨセットが第１の条件であり、第２のＥＰＤＣＣＨセットが第２の条件である。３つ目の状態は、第１のＥＰＤＣＣＨセットが第２の条件であり、第２のＥＰＤＣＣＨセットが第１の条件である。４つ目の状態は、第１のＥＰＤＣＣＨセットが第２の条件であり、第２のＥＰＤＣＣＨセットが第２の条件である。すなわち、第１のＥＰＤＣＣＨセットおよび第２のＥＰＤＣＣＨセットのそれぞれに対する条件の組み合わせである４つの状態に対して、ＥＰＤＣＣＨ候補数の組み合わせが独立に規定されるため、ＥＰＤＣＣＨ候補数の組み合わせはそれらの条件に応じて好適に適用できる。また、ＥＰＤＣＣＨ候補数の組み合わせは、第１のＥＰＤＣＣＨセットおよび第２のＥＰＤＣＣＨセットにおける利用可能なリソースエレメント数に応じて、好適に適用できる。第１のＥＰＤＣＣＨセットに対するＥＰＤＣＣＨ候補数と、第２のＥＰＤＣＣＨセットに対するＥＰＤＣＣＨ候補数との総数が制限される場合、上記で説明した方法がより効果的であるかもしれない。
【０１９１】
なお、２つのＥＰＤＣＣＨセットが設定された場合でも、第１のＥＰＤＣＣＨセットおよび第２のＥＰＤＣＣＨセットにおけるＥＰＤＣＣＨ候補数の組み合わせは、図７に示したＥＰＤＣＣＨ候補数の組み合わせをそれぞれ独立に用いて規定されてもよい。これにより、ＥＰＤＣＣＨ候補数の組み合わせを規定する数が少なくなるため、基地局１００および端末２００における記憶容量が削減される。
【０１９２】
以下では、ＥＰＤＣＣＨ候補のリソース位置について説明する。ここで、ＥＰＤＣＣＨ候補のリソース位置は、ＥＰＤＣＣＨがマッピングできる１つ以上のＥＣＣＥである。例えば、ＥＰＤＣＣＨ候補のリソース位置は、ＥＣＣＥを示すインデックスであるＥＣＣＥ番号により示されることができる。なお、ＥＣＣＥ番号は、ＥＰＤＣＣＨセットを構成するＲＢペア数により規定され、それぞれのＥＰＤＣＣＨセットまたは複数のＥＰＤＣＣＨセットに固有の番号である。
【０１９３】
局所マッピングにおけるＥＰＤＣＣＨ候補のリソース位置と、分散マッピングにおけるＥＰＤＣＣＨ候補のリソース位置とは、それぞれ独立に規定されることができる。ＥＰＤＣＣＨ候補のリソース位置は、ＥＰＤＣＣＨセットに対するＥＰＤＣＣＨ候補数の組み合わせに基づいて、規定されることができる。例えば、ＥＰＤＣＣＨ候補のリソース位置は、ＥＰＤＣＣＨ候補数と、そのＥＰＤＣＣＨセットを構成するＲＢペア数とに基づいて、規定されることができる。また、ＥＰＤＣＣＨ候補のリソース位置は、端末２００に固有のスタートＥＣＣＥにさらに基づいて、規定されることができる。スタートＥＣＣＥは、基地局１００により通知される制御情報に基づいて設定されることができる。また、スタートＥＣＣＥは、端末２００に固有の制御情報に基づいて設定されることができる。例えば、スタートＥＣＣＥは、端末２００に固有の識別子であるＲＮＴＩに基づいて設定できる。
【０１９４】
例えば、ＥＰＤＣＣＨ候補のリソース位置は、スタートＥＣＣＥから所定の順序または方法で識別または設定されるＥＣＣＥにより規定できる。また、例えば、ＥＣＣＥ集合レベルが２以上の場合、ＥＰＤＣＣＨ候補のリソース位置は、ＥＣＣＥ集合レベルに応じた連続するＥＣＣＥ番号のＥＣＣＥにより規定できる。また、例えば、局所マッピングの場合、ＥＰＤＣＣＨ候補のリソース位置は、それぞれのＥＰＤＣＣＨ候補が異なるＲＢペアにおけるＥＣＣＥにより規定できる。また、例えば、分散マッピングの場合、ＥＰＤＣＣＨ候補のリソース位置は、それぞれのＥＰＤＣＣＨ候補が連続するＥＣＣＥ番号のＥＣＣＥにより規定できる。
【０１９５】
基地局１００は、端末２００に対して、１つ以上のＥＰＤＣＣＨセットを設定する。基地局１００は、端末２００に対するＥＰＤＣＣＨを、設定したＥＰＤＣＣＨセットにおけるＥＰＤＣＣＨ候補のいずれかにマッピングする。ＥＰＤＣＣＨセットにおけるＥＰＤＣＣＨ候補は、既に説明した方法を用いて識別される。
【０１９６】
端末２００は、基地局１００により１つ以上のＥＰＤＣＣＨセットが設定される。端末２００は、既に説明した方法を用いて、ＥＣＣＥ集合レベル毎のＥＰＤＣＣＨ候補数および／またはＥＰＤＣＣＨ候補のリソース位置を設定または認識する。例えば、端末２００は、設定されたＥＰＤＣＣＨセットに対する情報および／またはＥＰＤＣＣＨセットに対する条件に基づいて、ＥＣＣＥ集合レベル毎のＥＰＤＣＣＨ候補数および／またはＥＰＤＣＣＨ候補のリソース位置を設定または認識する。端末２００は、そのＥＰＤＣＣＨ候補に対して、ＥＰＤＣＣＨを逐次探索（ブラインドデコーディング）する。
【０１９７】
ここで、制御情報は、誤り検出符号化処理等が施され、物理制御チャネルであるＰＤＣＣＨおよび／またはＥＰＤＣＣＨにマッピングされる。ＰＤＣＣＨおよびＥＰＤＣＣＨは、誤り訂正符号化処理や変調処理が施され、それぞれＰＤＣＣＨ領域、およびＰＤＣＣＨとは異なるＥＰＤＣＣＨ領域を介して送受信される。ただし、ここで言う物理制御チャネルは物理チャネルの一種であり、物理フレーム上に規定される制御チャネルである。
【０１９８】
なお、１つの観点から見ると、ＰＤＣＣＨは、セル固有参照信号と同じ送信ポート（アンテナポート）を用いる物理制御チャネルである。また、ＥＰＤＣＣＨは、ＥＰＤＣＣＨ復調用参照信号と同じ送信ポートを用いる物理制御チャネルである。端末２００は、ＰＤＣＣＨに対して、セル固有参照信号を用いて復調し、ＥＰＤＣＣＨに対して、ＥＰＤＣＣＨ復調用参照信号を用いて復調する。セル固有参照信号は、セル内の全端末に共通の参照信号であって、ほぼすべてのリソースに挿入されているためにいずれの端末も使用可能な参照信号である。このため、ＰＤＣＣＨは、いずれの端末も復調可能である。一方、ＥＰＤＣＣＨ復調用参照信号は、割り当てられたリソースのみに挿入される参照信号であって、データと同じように適応的にプレコーディング処理やビームフォーミング処理を行うことができる。この場合におけるＥＰＤＣＣＨ領域に配置される制御チャネルは、適応的なプレコーディングやビームフォーミングの利得、周波数スケジューリング利得を得ることができる。また、ＥＰＤＣＣＨ復調用参照信号は、複数の端末によって共用されることもできる。例えば、ＥＰＤＣＣＨ領域に配置される制御チャネルが、複数のリソース（例えば、リソースブロック）に分散されて通知される場合、そのＥＰＤＣＣＨ領域の端末固有参照信号は、複数の端末によって供用されることができる。その場合におけるＥＰＤＣＣＨ領域に配置される制御チャネルは、周波数ダイバーシチ利得を得ることができる。
【０１９９】
また、異なる観点から見ると、ＰＤＣＣＨ領域にマッピングされる制御チャネル（ＰＤＣＣＨ）は、物理サブフレームの前部に位置するＯＦＤＭシンボル（シンボル）上の物理制御チャネルであり、これらのＯＦＤＭシンボル上のシステム帯域（コンポーネントキャリア（ＣＣ；Ｃｏｍｐｏｎｅｎｔ  Ｃａｒｒｉｅｒ））全域に配置されうる。また、ＥＰＤＣＣＨ領域にマッピングされる制御チャネル（ＥＰＤＣＣＨ）は、物理サブフレームのＰＤＣＣＨよりも後方に位置するＯＦＤＭシンボル上の物理制御チャネルであり、これらのＯＦＤＭシンボル上のシステム帯域幅内のうち、一部の帯域に配置されうる。ＰＤＣＣＨは、物理サブフレームの前部に位置する制御チャネル専用のＯＦＤＭシンボル上に配置されるため、物理データチャネル用の後部のＯＦＤＭシンボルよりも前に受信および復調することができる。また、制御チャネル専用のＯＦＤＭシンボルのみをモニターする端末も受信することができる。また、ＣＣ全域に拡散されて配置されうるため、セル間干渉をランダム化することができる。また、ＰＤＣＣＨ領域は、基地局１００固有に設定される領域であり、基地局１００に接続する全ての端末に共通の領域である。一方、ＥＰＤＣＣＨは、通信中の端末が通常受信する共用チャネル（物理データチャネル）用の後部のＯＦＤＭシンボル上に配置される。また、周波数分割多重することにより、ＥＰＤＣＣＨ同士あるいはＥＰＤＣＣＨと物理データチャネルとを直交多重（干渉無しの多重）することができる。また、ＥＰＤＣＣＨ領域は、端末２００固有に設定される領域であり、基地局１００に接続する端末毎に設定される領域である。なお、基地局１００は、ＥＰＤＣＣＨ領域を、複数の端末で共有するように設定することができる。また、ＰＤＣＣＨ領域とＥＰＤＣＣＨ領域は、同一の物理サブフレームに配置される。ここで、ＯＦＤＭシンボルは、各チャネルのビットをマッピングする時間方向の単位である。
【０２００】
また、異なる観点から見ると、ＰＤＣＣＨは、セル固有の物理制御チャネルであり、アイドル状態の端末およびコネクト状態の端末の両方が取得（検出）できる物理チャネルである。また、ＥＰＤＣＣＨは、端末固有の物理制御チャネルであり、コネクト状態の端末のみが取得できる物理チャネルである。ここで、アイドル状態とは、基地局がＲＲＣ（Ｒａｄｉｏ  Ｒｅｓｏｕｒｃｅ  Ｃｏｎｔｒｏｌ）の情報を蓄積してない状態（ＲＲＣ＿ＩＤＬＥ状態）や、移動局が間欠受信（ＤＲＸ）を行っている状態など、直ちにデータの送受信を行わない状態である。一方、コネクト状態とは、端末がネットワークの情報を保持している状態（ＲＲＣ＿ＣＯＮＮＥＣＴＥＤ状態）や、移動局が間欠受信（ＤＲＸ）を行っていない状態など、直ちにデータの送受信を行うことができる状態である。ＰＤＣＣＨは、端末固有のＲＲＣシグナリングに依存せず端末２００が受信可能なチャネルである。ＥＰＤＣＣＨは、端末固有のＲＲＣシグナリングによって設定されるチャネルであり、端末固有のＲＲＣシグナリングによって端末２００が受信可能なチャネルである。すなわち、ＰＤＣＣＨは、予め限定された設定により、いずれの端末も受信可能なチャネルであり、ＥＰＤＣＣＨは端末固有の設定変更が容易なチャネルである。
【０２０１】
以上のように、基地局１００は、端末２００に対して、ＥＰＤＣＣＨを設定する場合、専用ＲＲＣシグナリングにより、無線リソースに対する端末固有設定情報にＥＰＤＣＣＨの端末固有設定情報を含めて通知する。また、基地局１００は、端末２００に対して、設定されたＥＰＤＣＣＨを変更する場合、同様に専用ＲＲＣシグナリングにより、パラメータを変更したＥＰＤＣＣＨの端末固有設定情報を含む無線リソースに対する端末固有設定情報を通知する。また、基地局１００は、端末２００に対して、設定されたＥＰＤＣＣＨを解放（リリース）する場合、同様に専用ＲＲＣシグナリングにより通知する。例えば、ＥＰＤＣＣＨの端末固有設定情報を含まない無線リソースに対する端末固有設定情報を通知する。また、ＥＰＤＣＣＨの端末固有設定情報を解放するための制御情報を通知してもよい。
【０２０２】
＜第２の実施形態＞
以下、本発明の実施形態について説明する。本実施形態における通信システムは、第１の実施形態で説明した基地局および端末を備える。以下では、第１の実施形態と異なる部分を説明する。
【０２０３】
第１の実施形態では、２つのＥＰＤＣＣＨセットが設定された場合のＥＰＤＣＣＨ候補数の組み合わせは、図８〜１１で示される例のように、第１のＥＰＤＣＣＨセットおよび第２のＥＰＤＣＣＨセットを構成するそれぞれのＲＢペアの数Ｎ1およびＮ2と、第１のＥＰＤＣＣＨセットおよび第２のＥＰＤＣＣＨセットのそれぞれに対する条件と、に基づいて独立に規定された。すなわち、第１のＥＰＤＣＣＨセットおよび第２のＥＰＤＣＣＨセットのそれぞれが第１の条件または第２の条件によって４つの状態がある。具体的には、１つ目の状態は、第１のＥＰＤＣＣＨセットが第１の条件であり、第２のＥＰＤＣＣＨセットが第１の条件である。２つ目の状態は、第１のＥＰＤＣＣＨセットが第１の条件であり、第２のＥＰＤＣＣＨセットが第２の条件である。３つ目の状態は、第１のＥＰＤＣＣＨセットが第２の条件であり、第２のＥＰＤＣＣＨセットが第１の条件である。４つ目の状態は、第１のＥＰＤＣＣＨセットが第２の条件であり、第２のＥＰＤＣＣＨセットが第２の条件である。ＥＰＤＣＣＨ候補数の組み合わせはそれぞれの状態に対して独立に規定された。
【０２０４】
本実施形態では、第１のＥＰＤＣＣＨセットに対する条件と第２のＥＰＤＣＣＨセットに対する条件とが異なる場合でも、ＥＰＤＣＣＨ候補数の組み合わせは、第１のＥＰＤＣＣＨセットに対する条件と第２のＥＰＤＣＣＨセットに対する条件とが同じ場合におけるＥＰＤＣＣＨ候補数の組み合わせを用いる。
【０２０５】
図１２は、２つのＥＰＤＣＣＨセットが設定された場合のＥＰＤＣＣＨ候補数の組み合わせの例を示す図である。図１２の例では、ＥＰＤＣＣＨ候補数の組み合わせは、第１のＥＰＤＣＣＨセットおよび第２のＥＰＤＣＣＨセットを構成するそれぞれのＲＢペアの数Ｎ1およびＮ2と、第１のＥＰＤＣＣＨセットおよび第２のＥＰＤＣＣＨセットに対する条件の２つの状態と、に基づいて規定できる。第１のＥＰＤＣＣＨセットおよび第２のＥＰＤＣＣＨセットに対する条件の２つの状態は、第１のＥＰＤＣＣＨセットおよび第２のＥＰＤＣＣＨセットの少なくとも１つが第１の条件である場合と、第１のＥＰＤＣＣＨセットおよび第２のＥＰＤＣＣＨセットが第２の条件である場合とである。すなわち、第１のＥＰＤＣＣＨセットに対する条件と第２のＥＰＤＣＣＨセットに対する条件とが異なる場合におけるＥＰＤＣＣＨ候補数の組み合わせは、第１のＥＰＤＣＣＨセットおよび第２のＥＰＤＣＣＨセットが第１の条件である場合におけるＥＰＤＣＣＨ候補数の組み合わせと同じである。
【０２０６】
これにより、ＥＰＤＣＣＨ候補数の組み合わせを規定する数が少なくなるため、基地局１００および端末２００における記憶容量が削減される。また、第１の条件における受信品質が第２の条件における受信品質よりも低い場合、一方のＥＰＤＣＣＨセットが第２の条件であっても、もう一方のＥＰＤＣＣＨセットが第１の条件であれば、両方のＥＰＤＣＣＨセットが第１の条件である場合におけるＥＰＤＣＣＨ候補数の組み合わせが用いられるため、ＥＰＤＣＣＨ候補数の組み合わせは受信品質が低い方に合わせられる。
【０２０７】
ここで、第１の条件または第２の条件における受信品質は、ＥＰＤＣＣＨを送信するために用いることができるリソースエレメントの数に基づいて推定されることができる。
【０２０８】
なお、第１のＥＰＤＣＣＨセットおよび第２のＥＰＤＣＣＨセットに対する条件の２つの状態は、第１のＥＰＤＣＣＨセットおよび第２のＥＰＤＣＣＨセットが第１の条件である場合と、第１のＥＰＤＣＣＨセットおよび第２のＥＰＤＣＣＨセットの少なくとも１つが第２の条件である場合と、であってもよい。すなわち、第１のＥＰＤＣＣＨセットに対する条件と第２のＥＰＤＣＣＨセットに対する条件とが異なる場合におけるＥＰＤＣＣＨ候補数の組み合わせは、第１のＥＰＤＣＣＨセットおよび第２のＥＰＤＣＣＨセットが第２の条件である場合におけるＥＰＤＣＣＨ候補数の組み合わせと同じである。
【０２０９】
これにより、ＥＰＤＣＣＨ候補数の組み合わせを規定する数が少なくなるため、基地局１００および端末２００における記憶容量が削減される。また、第１の条件における受信品質が第２の条件における受信品質よりも低い場合、一方のＥＰＤＣＣＨセットが第１の条件であっても、もう一方のＥＰＤＣＣＨセットが第２の条件であれば、両方のＥＰＤＣＣＨセットが第２の条件である場合におけるＥＰＤＣＣＨ候補数の組み合わせが用いられるため、ＥＰＤＣＣＨ候補数の組み合わせは受信品質が高い方に合わせられる。
【０２１０】
図１３は、２つのＥＰＤＣＣＨセットが設定された場合のＥＰＤＣＣＨ候補数の組み合わせの例を示す図である。図１３の例では、ＥＰＤＣＣＨ候補数の組み合わせは、第１のＥＰＤＣＣＨセットおよび第２のＥＰＤＣＣＨセットを構成するそれぞれのＲＢペアの数Ｎ1およびＮ2と、第１のＥＰＤＣＣＨセットおよび第２のＥＰＤＣＣＨセットに対する条件の２つの状態と、に基づいて規定できる。第１のＥＰＤＣＣＨセットおよび第２のＥＰＤＣＣＨセットに対する条件の２つの状態は、第１のＥＰＤＣＣＨセットが第１の条件である場合と、第１のＥＰＤＣＣＨセットが第２の条件である場合と、であってもよい。すなわち、第２のＥＰＤＣＣＨセットに対する条件に関わらず、第１のＥＰＤＣＣＨセットの条件に応じて、第１のＥＰＤＣＣＨセットおよび第２のＥＰＤＣＣＨセットにおけるＥＰＤＣＣＨ候補数の組み合わせが規定される。
【０２１１】
これにより、ＥＰＤＣＣＨ候補数の組み合わせを規定する数が少なくなるため、基地局１００および端末２００における記憶容量が削減される。また、第１のＥＰＤＣＣＨセットと第２のＥＰＤＣＣＨセットとの間で重要度または優先度が異なる場合、ＥＰＤＣＣＨ候補数の組み合わせは、その重要度または優先度に応じて、好適に規定できる。
【０２１２】
なお、第１のＥＰＤＣＣＨセットに対する条件に関わらず、第２のＥＰＤＣＣＨセットの条件に応じて、第１のＥＰＤＣＣＨセットおよび第２のＥＰＤＣＣＨセットにおけるＥＰＤＣＣＨ候補数の組み合わせが規定されてもよい。
【０２１３】
なお、第１のＥＰＤＣＣＨセットおよび第２のＥＰＤＣＣＨセットに対する条件の２つの状態は、それぞれのＥＰＤＣＣＨセットが分散マッピングまたは局所マッピングの設定に基づいた状態であってもよい。例えば、第１のＥＰＤＣＣＨセットおよび第２のＥＰＤＣＣＨセットに対する条件の２つの状態は、第１のＥＰＤＣＣＨセットおよび第２のＥＰＤＣＣＨセットの少なくとも１つが分散マッピングである場合と、第１のＥＰＤＣＣＨセットおよび第２のＥＰＤＣＣＨセットが局所マッピングである場合とである。また、例えば、第１のＥＰＤＣＣＨセットおよび第２のＥＰＤＣＣＨセットに対する条件の２つの状態は、第１のＥＰＤＣＣＨセットおよび第２のＥＰＤＣＣＨセットの少なくとも１つが局所マッピングである場合と、第１のＥＰＤＣＣＨセットおよび第２のＥＰＤＣＣＨセットが分散マッピングである場合とである。また、例えば、第２のＥＰＤＣＣＨセットに対する分散マッピングまたは局所マッピングの設定に関わらず、第１のＥＰＤＣＣＨセットに対する分散マッピングまたは局所マッピングの設定に応じて、第１のＥＰＤＣＣＨセットおよび第２のＥＰＤＣＣＨセットにおけるＥＰＤＣＣＨ候補数の組み合わせが規定されてもよい。
【０２１４】
なお、第１のＥＰＤＣＣＨセットおよび第２のＥＰＤＣＣＨセットにおけるＥＰＤＣＣＨ候補数の組み合わせは、ＥＰＤＣＣＨセットに対する分散マッピングまたは局所マッピングの設定に加えて、第１の条件または第２の条件に基づいて規定できる。
【０２１５】
これにより、ＥＰＤＣＣＨ候補数の組み合わせを規定する数が少なくなるため、基地局１００および端末２００における記憶容量が削減される。また、第１のＥＰＤＣＣＨセットおよび第２のＥＰＤＣＣＨセットにおけるＥＰＤＣＣＨ候補数の組み合わせは、ＥＰＤＣＣＨセットに対する分散マッピングまたは局所マッピングの設定に基づいて、好適に規定できる。
【０２１６】
既に説明したように、第１のＥＰＤＣＣＨセットおよび第２のＥＰＤＣＣＨセットに対する条件が第１の条件または第２の条件である場合、それらが取り得る組み合わせは、４つの状態である。本実施形態では、その４つの状態が２つの状態として扱うことができるため、ＥＰＤＣＣＨ候補数の組み合わせを規定する数が削減される。これにより、基地局１００および端末２００における記憶容量が削減され、処理を軽減することができる。
【０２１７】
なお、第１のＥＰＤＣＣＨセットおよび第２のＥＰＤＣＣＨセットに対する条件の状態は、３つであってもよい。例えば、第１のＥＰＤＣＣＨセットおよび第２のＥＰＤＣＣＨセットに対する条件の３つの状態は、第１のＥＰＤＣＣＨセットおよび第２のＥＰＤＣＣＨセットが第１の条件である場合と、第１のＥＰＤＣＣＨセットおよび第２のＥＰＤＣＣＨセットが第２の条件である場合と、第１のＥＰＤＣＣＨセットに対する条件および第２のＥＰＤＣＣＨセットに対する条件が異なる場合と、である。また、例えば、第１のＥＰＤＣＣＨセットおよび第２のＥＰＤＣＣＨセットに対する条件の３つの状態は、第２のＥＰＤＣＣＨセットに対する条件に関わらず第１のＥＰＤＣＣＨセットが第１の条件である場合と、第１のＥＰＤＣＣＨセットが第２の条件であり第２のＥＰＤＣＣＨセットが第１の条件である場合と、第１のＥＰＤＣＣＨセットに対する条件および第２のＥＰＤＣＣＨセットが第２の条件である場合と、である。
【０２１８】
なお、第１のＥＰＤＣＣＨセットおよび第２のＥＰＤＣＣＨセットに対する条件の３つの状態は、それぞれのＥＰＤＣＣＨセットが分散マッピングまたは局所マッピングの設定に基づいた状態であってもよい。
【０２１９】
これにより、第１のＥＰＤＣＣＨセットおよび第２のＥＰＤＣＣＨセットに対する条件が第１の条件または第２の条件である場合、それらが取り得る組み合わせである４つの状態が３つの状態として扱うことができるため、ＥＰＤＣＣＨ候補数の組み合わせを規定する数が削減できる。これにより、基地局１００および端末２００における記憶容量が削減される。
【０２２０】
なお、上記の各実施形態では、分散マッピングにおけるアンテナポートの関連付けは、複素シンボルのブロックのそれぞれに対して行われてもよい。複素シンボルのブロックは、ＥＰＤＣＣＨの全部または一部とすることができる。
【０２２１】
アンテナポートの関連付けは、ＥＰＤＣＣＨの複素シンボルに対して行われる。その複素シンボルが、それぞれのＥＲＥＧにおけるリソースエレメントに、周波数優先マッピング規則でマッピングされる。複素シンボルのリソースエレメントへのマッピングは、衝突信号がマッピングされないリソースエレメントに対して行われる。その結果として、アンテナポートは衝突信号に対して飛び越して関連付けられることが可能となる。
【０２２２】
そのため、アンテナポートの関連付けがリソースエレメントに対して行われた場合と同様の効果が得られる。すなわち、それぞれのＥＲＥＧ、ＯＦＤＭシンボル、ＲＢペアおよびＥＣＣＥにおいて、アンテナポート１０７に関連付けられるリソースエレメントの数とアンテナポート１０９に関連付けられるリソースエレメントの数とがほぼ同じにできる。アンテナポート間の偏りを少なくできるため、周波数ダイバーシチの効果が向上する。また、アンテナポート間の送信電力の平均が同じになる。
【０２２３】
なお、上記の各実施形態では、ＥＲＥＧ番号が、それぞれのＲＢペアで割り振られる場合を説明したが、これに限定されるものではない。例えば、ＥＲＥＧ番号は、ＥＰＤＣＣＨ領域の全てのＲＢペアに渡って割り振られる場合でも本発明は適用できる。例えば、ＥＰＤＣＣＨ領域が４つのＲＢペアで構成される場合、それぞれのＲＢペアは１６のＥＲＥＧを構成するため、そのＥＰＤＣＣＨ領域は６４のＥＲＥＧで構成される。その場合、ＥＲＥＧ番号は０〜６３となり、周波数の低いＲＢペアから順に割り振られることができる。すなわち、１番目のＲＢペアにおけるＥＲＥＧ番号は０〜１５であり、２番目のＲＢペアにおけるＥＲＥＧ番号は１６〜３１であり、３番目のＲＢペアにおけるＥＲＥＧ番号は３２〜４７であり、４番目のＲＢペアにおけるＥＲＥＧ番号は４８〜６３である。
【０２２４】
なお、上記の各実施形態では、周波数優先マッピング規則を用いる場合を説明したが、これに限定されるものではない。すなわち、時間優先マッピング規則が用いられてもよい。時間優先マッピング規則は、マッピングの対象が、マッピングする領域内の複数のリソースエレメントにおいて、先頭のＯＦＤＭシンボルであり最も低い周波数のサブキャリアのリソースエレメントから、それぞれのサブキャリアにおいて、時間が遅くなる方向のＯＦＤＭシンボルのリソースエレメントを優先して順にマッピングし、次に周波数が高くなる方向のサブキャリアに対しても同様にマッピングする規則である。なお、時間優先マッピング規則におけるマッピングは、アンテナポート等の関連付けにも適用できるため、マッピングは関連付けとも言い換えることができる。すなわち、時間優先マッピング規則は、時間優先関連付け規則とも言い換えることができる。また、時間優先マッピング規則および時間優先関連付け規則は、時間優先規則とも呼称される。
【０２２５】
なお、上記の各実施形態では、それぞれのＥＲＥＧにおける、リソースエレメントまたはＥＰＤＣＣＨの複素シンボルに対して、アンテナポート１０７とアンテナポート１０９とが、所定の規則によって交互に関連付けられる場合を説明したが、これに限定されるものではない。例えば、それぞれのＥＲＥＧにおいて、アンテナポート１０７に関連付けられるリソースエレメントまたはＥＰＤＣＣＨの複素シンボルの数と、アンテナポート１０９に関連付けられるリソースエレメントまたはＥＰＤＣＣＨの複素シンボルの数との差が、小さいほど、本発明の効果が得られることになる。そのため、それぞれのＥＲＥＧにおいて、アンテナポートと、リソースエレメントまたはＥＰＤＣＣＨの複素シンボルとの関連付けが、アンテナポート１０７とアンテナポート１０９との間で、１または０になるように行われればよい。具体的な一例は、９個のリソースエレメントまたはＥＰＤＣＣＨの複素シンボルに、アンテナポート１０７とアンテナポート１０９を関連付ける場合、５つのアンテナポート１０７と４つのアンテナポート１０９が順に所定の規則によって関連付けられることができる。
【０２２６】
なお、上記の各実施形態では、データチャネル、制御チャネル、ＰＤＳＣＨ、ＰＤＣＣＨ、ＥＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。
【０２２７】
また、上記の各実施形態では、ＰＤＳＣＨ領域に配置される拡張された物理下りリンク制御チャネル１０３をＥＰＤＣＣＨと呼称し、従来の物理下りリンク制御チャネル（ＰＤＣＣＨ）との区別を明確にして説明したが、これに限るものではない。両方をＰＤＣＣＨと称する場合であっても、ＰＤＳＣＨ領域に配置される拡張された物理下りリンク制御チャネルとＰＤＣＣＨ領域に配置される従来の物理下りリンク制御チャネルとで異なる動作をすれば、ＥＰＤＣＣＨとＰＤＣＣＨとを区別する上記各実施形態と実質的に同じである。
【０２２８】
なお、端末２００が基地局１００と通信を開始する際に、基地局１００に対して、上記の各実施形態で記載の機能が使用可能であるか否かを示す情報（端末能力情報，あるいは機能グループ情報）を基地局１００に通知することにより、基地局１００は上記各実施形態で記載の機能が使用可能であるか否かを判断することができる。より具体的には、上記各実施形態で記載の機能が使用可能である場合に、端末能力情報にそれを示す情報を含め、上記各実施形態で記載の機能が使用可能ではない場合には、端末能力情報に本機能に関する情報を含めないようにすればよい。あるいは、上記各実施形態で記載の機能が使用可能である場合に、機能グループ情報の所定ビットフィールドに１を立て、上記各実施形態で記載の機能が使用可能ではない場合には、機能グループ情報の所定ビットフィールドを０とするようにすればよい。
【０２２９】
なお、上記各実施形態では、データチャネル、制御チャネル、ＰＤＳＣＨ、ＰＤＣＣＨ、ＥＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プレコーディング処理されたＲＳを用いて復調する場合について説明し、プレコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ  ＲＳを用い、ポートとしては、プリコーディング処理後の出力端と等価であるポートあるいは物理アンテナ（あるいは物理アンテナの組み合わせ）と等価であるポートを用いることができる。
【０２３０】
本発明に関わる基地局１００および端末２００で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２３１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１００および端末２００の一部、または全部を典型的には集積回路であるＬＳＩとして実現してもよい。基地局１００および端末２００の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０２３２】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用できる。
【０２３３】
以上、この発明の実施形態に関して図面を参照して詳述してきたが、具体的な構成はこの実施形態に限られるものではなく、この発明の要旨を逸脱しない範囲の設計変更等も含まれる。例えば、一連の処理のうち、一部の処理の順序を逆転させるような設計の変更を行ってもよい。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２３４】
本発明は、無線基地局装置や無線端末装置や無線通信システムや無線通信方法に用いて好適である。【０２３５】
（１）この発明は上述した課題を解決するためになされたもので、本発明の一態様による基地局は、１つのサブキャリアと１つのＯＦＤＭシンボルとで構成されるリソースエレメントと、所定のリソースエレメントで構成されるＲＢペアを用いて、端末と通信する基地局であって、端末に対する制御情報を通知するために用いられるＥＰＤＣＣＨを、複数のＲＢペアで構成される、第１のＥＰＤＣＣＨセットおよび第２のＥＰＤＣＣＨセットにそれぞれ規定されるＥＰＤＣＣＨの候補のいずれかにマッピングするＥＰＤＣＣＨ生成部を備え、ＥＰＤＣＣＨの候補の数は、第１のＥＰＤＣＣＨセットを構成するＲＢペアの数と、第２のＥＰＤＣＣＨセットを構成するＲＢペアの数と、第１のＥＰＤＣＣＨセットに対する条件と、第２のＥＰＤＣＣＨセットに対する条件と、に基づいて規定され、条件は、第１の条件と、第１の条件とは異なる第２の条件とのいずれかである。【０２３６】
（２）本発明の一態様による基地局は、上記の基地局であって、第１の条件は、ＲＢペアにおいてＥＰＤＣＣＨをマッピングできるリソースエレメントの数が所定数より少ない場合を満たす条件であり、第２の条件は、ＲＢペアにおいてＥＰＤＣＣＨをマッピングできるリソースエレメントの数が所定数以上の場合を満たす条件である。【０２３７】
（３）本発明の一態様による基地局は、上記の基地局であって、第１の条件は、ＲＢペアにおいてＥＰＤＣＣＨをマッピングできるリソースエレメントの数が所定数より少なく、さらに１つのＥＣＣＥが４つのＥＲＥＧで構成される場合を満たす条件であり、第２の条件は、ＲＢペアにおいてＥＰＤＣＣＨをマッピングできるリソースエレメントの数が所定数以上で、さらに１つのＥＣＣＥが４つのＥＲＥＧで構成される場合、または、１つのＥＣＣＥが８つのＥＲＥＧで構成される場合を満たす条件である。【０２３８】
（４）本発明の一態様による基地局は、上記の基地局であって、ＥＰＤＣＣＨの候補の数は、第１のＥＰＤＣＣＨセットおよび第２のＥＰＤＣＣＨセットが第１の条件である場合と、第１のＥＰＤＣＣＨセットが第１の条件であり第２のＥＰＤＣＣＨセットが第２の条件である場合と、第１のＥＰＤＣＣＨセットが第２の条件であり第２のＥＰＤＣＣＨセットが第１の条件である場合と、第１のＥＰＤＣＣＨセットおよび第２のＥＰＤＣＣＨセットが第２の条件である場合とに対して、それぞれ独立に規定される。【０２３９】
（５）本発明の一態様による基地局は、上記の基地局であって、ＥＰＤＣＣＨの候補の数は、第１のＥＰＤＣＣＨセットおよび第２のＥＰＤＣＣＨセットの少なくとも１つが第１の条件である場合と、第１のＥＰＤＣＣＨセットおよび第２のＥＰＤＣＣＨセットが第２の条件である場合とに対して、それぞれ独立に規定される。【０２４０】
（６）本発明の一態様による端末は、１つのサブキャリアと１つのＯＦＤＭシンボルとで構成されるリソースエレメントと、所定のリソースエレメントで構成されるＲＢペアを用いて、基地局と通信する端末であって、端末に対する制御情報を通知するために用いられるＥＰＤＣＣＨを、複数のＲＢペアで構成される、第１のＥＰＤＣＣＨセットおよび第２のＥＰＤＣＣＨセットにそれぞれ規定されるＥＰＤＣＣＨの候補から探索するＥＰＤＣＣＨ処理部を備え、ＥＰＤＣＣＨの候補の数は、第１のＥＰＤＣＣＨセットを構成するＲＢペアの数と、第２のＥＰＤＣＣＨセットを構成するＲＢペアの数と、第１のＥＰＤＣＣＨセットに対する条件と、第２のＥＰＤＣＣＨセットに対する条件と、に基づいて規定され、条件は、第１の条件と、第１の条件とは異なる第２の条件とのいずれかである。【０２４１】
（７）本発明の一態様による端末は、上記の端末であって、第１の条件は、ＲＢペアにおいてＥＰＤＣＣＨをマッピングできるリソースエレメントの数が所定数より少ない場合を満たす条件であり、第２の条件は、ＲＢペアにおいてＥＰＤＣＣＨをマッピングできるリソースエレメントの数が所定数以上の場合を満たす条件である。【０２４２】
（８）本発明の一態様による端末は、上記の端末であって、第１の条件は、ＲＢペアにおいてＥＰＤＣＣＨをマッピングできるリソースエレメントの数が所定数より少なく、さらに１つのＥＣＣＥが４つのＥＲＥＧで構成される場合を満たす条件であり、第２の条件は、ＲＢペアにおいてＥＰＤＣＣＨをマッピングできるリソースエレメントの数が所定数以上で、さらに１つのＥＣＣＥが４つのＥＲＥＧで構成される場合、または、１つのＥＣＣＥが８つのＥＲＥＧで構成される場合を満たす条件である。【０２４３】
（９）本発明の一態様による端末は、上記の端末であって、ＥＰＤＣＣＨの候補の数は、第１のＥＰＤＣＣＨセットおよび第２のＥＰＤＣＣＨセットが第１の条件である場合と、第１のＥＰＤＣＣＨセットが第１の条件であり第２のＥＰＤＣＣＨセットが第２の条件である場合と、第１のＥＰＤＣＣＨセットが第２の条件であり第２のＥＰＤＣＣＨセットが第１の条件である場合と、第１のＥＰＤＣＣＨセットおよび第２のＥＰＤＣＣＨセットが第２の条件である場合とに対して、それぞれ独立に規定される。【０２４４】
（１０）本発明の一態様による端末は、上記の端末であって、ＥＰＤＣＣＨの候補の数は、第１のＥＰＤＣＣＨセットおよび第２のＥＰＤＣＣＨセットの少なくとも１つが第１の条件である場合と、第１のＥＰＤＣＣＨセットおよび第２のＥＰＤＣＣＨセットが第２の条件である場合とに対して、それぞれ独立に規定される。【０２４５】
（１１）本発明の一態様による通信システムは、１つのサブキャリアと１つのＯＦＤＭシンボルとで構成されるリソースエレメントと、所定のリソースエレメントで構成されるＲＢペアを用いて、基地局と端末とが通信する通信システムであって、基地局は、端末に対する制御情報を通知するために用いられるＥＰＤＣＣＨを、複数のＲＢペアで構成される、第１のＥＰＤＣＣＨセットおよび第２のＥＰＤＣＣＨセットにそれぞれ規定されるＥＰＤＣＣＨの候補のいずれかにマッピングするＥＰＤＣＣＨ生成部を備え、端末は、ＥＰＤＣＣＨを、ＥＰＤＣＣＨの候補から探索するＥＰＤＣＣＨ処理部を備え、ＥＰＤＣＣＨの候補の数は、第１のＥＰＤＣＣＨセットを構成するＲＢペアの数と、第２のＥＰＤＣＣＨセットを構成するＲＢペアの数と、第１のＥＰＤＣＣＨセットに対する条件と、第２のＥＰＤＣＣＨセットに対する条件と、に基づいて規定され、条件は、第１の条件と、第１の条件とは異なる第２の条件とのいずれかである。【０２４６】
（１２）本発明の一態様による通信方法は、１つのサブキャリアと１つのＯＦＤＭシンボルとで構成されるリソースエレメントと、所定のリソースエレメントで構成されるＲＢペアを用いて、端末と通信する基地局の通信方法であって、端末に対する制御情報を通知するために用いられるＥＰＤＣＣＨを、複数のＲＢペアで構成される、第１のＥＰＤＣＣＨセットおよび第２のＥＰＤＣＣＨセットにそれぞれ規定されるＥＰＤＣＣＨの候補のいずれかにマッピングするステップを有し、ＥＰＤＣＣＨの候補の数は、第１のＥＰＤＣＣＨセットを構成するＲＢペアの数と、第２のＥＰＤＣＣＨセットを構成するＲＢペアの数と、第１のＥＰＤＣＣＨセットに対する条件と、第２のＥＰＤＣＣＨセットに対する条件と、に基づいて規定され、条件は、第１の条件と、第１の条件とは異なる第２の条件とのいずれかである。【０２４７】
（１３）本発明の一態様による通信方法は、１つのサブキャリアと１つのＯＦＤＭシンボルとで構成されるリソースエレメントと、所定のリソースエレメントで構成されるＲＢペアを用いて、基地局と通信する端末の通信方法であって、端末に対する制御情報を通知するために用いられるＥＰＤＣＣＨを、複数のＲＢペアで構成される、第１のＥＰＤＣＣＨセットおよび第２のＥＰＤＣＣＨセットにそれぞれ規定されるＥＰＤＣＣＨの候補から探索するステップを有し、ＥＰＤＣＣＨの候補の数は、第１のＥＰＤＣＣＨセットを構成するＲＢペアの数と、第２のＥＰＤＣＣＨセットを構成するＲＢペアの数と、第１のＥＰＤＣＣＨセットに対する条件と、第２のＥＰＤＣＣＨセットに対する条件と、に基づいて規定され、条件は、第１の条件と、第１の条件とは異なる第２の条件とのいずれかである。【０２４８】
（１４）本発明の一態様による集積回路は、１つのサブキャリアと１つのＯＦＤＭシンボルとで構成されるリソースエレメントと、所定のリソースエレメントで構成されるＲＢペアを用いて、端末と通信する基地局で実現される集積回路であって、端末に対する制御情報を通知するために用いられるＥＰＤＣＣＨを、複数のＲＢペアで構成される、第１のＥＰＤＣＣＨセットおよび第２のＥＰＤＣＣＨセットにそれぞれ規定されるＥＰＤＣＣＨの候補のいずれかにマッピングする機能を実現し、ＥＰＤＣＣＨの候補の数は、第１のＥＰＤＣＣＨセットを構成するＲＢペアの数と、第２のＥＰＤＣＣＨセットを構成するＲＢペアの数と、第１のＥＰＤＣＣＨセットに対する条件と、第２のＥＰＤＣＣＨセットに対する条件と、に基づいて規定され、条件は、第１の条件と、第１の条件とは異なる第２の条件とのいずれかである。【０２４９】
（１５）本発明の一態様による集積回路は、１つのサブキャリアと１つのＯＦＤＭシンボルとで構成されるリソースエレメントと、所定のリソースエレメントで構成されるＲＢペアを用いて、基地局と通信する端末の集積回路であって、端末に対する制御情報を通知するために用いられるＥＰＤＣＣＨを、複数のＲＢペアで構成される、第１のＥＰＤＣＣＨセットおよび第２のＥＰＤＣＣＨセットにそれぞれ規定されるＥＰＤＣＣＨの候補から探索する機能を実現し、ＥＰＤＣＣＨの候補の数は、第１のＥＰＤＣＣＨセットを構成するＲＢペアの数と、第２のＥＰＤＣＣＨセットを構成するＲＢペアの数と、第１のＥＰＤＣＣＨセットに対する条件と、第２のＥＰＤＣＣＨセットに対する条件と、に基づいて規定され、条件は、第１の条件と、第１の条件とは異なる第２の条件とのいずれかである。
【符号の説明】
【０２５０】
１００  基地局
１１０  ＰＤＣＣＨ生成部
１２０  ＥＰＤＣＣＨ生成部
１３０  ＰＤＳＣＨ生成部
１１１、１２１、１３１  符号部
１１２、１２２、１３２  変調部
１１３、１２３、１３３  レイヤー処理部
１１４、１２４、１３４  プレコーディング部
１４１  端末固有参照信号多重部
１５１  多重部
１５２  送信信号生成部
１５３  送信部
２００  端末
２０１  受信部
２０２  受信信号処理部
２０３  分離部
２０４  伝搬路推定部
２１０  ＰＤＣＣＨ処理部
２２０  ＥＰＤＣＣＨ処理部
２３０  ＰＤＳＣＨ処理部
２１１、２２１、２３１  伝搬路等化部
２１２、２２２、２３２  復調部
２１３、２２３、２３３  復号部
１４０１  マクロ基地局
１４０２、１４０３  ＲＲＨ
１４０４  端末
１４０８、１４０９  回線
１４０５、１４０６、１４０７  カバレッジ
【図１】
2014069598.tif 000003
【図２】
2014069598.tif 000004
【図３】
2014069598.tif 000005
【図４】
2014069598.tif 000006
【図５】
2014069598.tif 000007
【図６】
2014069598.tif 000008
【図７】
2014069598.tif 000009
【図８】
2014069598.tif 000010
【図９】
2014069598.tif 000011
【図１０】
2014069598.tif 000012
【図１１】
2014069598.tif 000013
【図１２】
2014069598.tif 000014
【図１３】
2014069598.tif 000015
【図１４】
2014069598.tif 000016
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
基地局装置と通信する移動局装置であって、
ＲＲＣシグナリングにより設定される第１のＥＰＤＣＣＨセットおよび第２のＥＰＤＣＣＨセットのそれぞれに含まれるＥＰＤＣＣＨの候補をモニタリングするＥＰＤＣＣＨ処理部を備え、
前記第１のＥＰＤＣＣＨセットおよび前記第２のＥＰＤＣＣＨセットにおける前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする移動局装置。
【請求項２】
前記所定の基準を満たすリソースエレメントの数が所定数より小さい場合、前記第１のＥＰＤＣＣＨセットおよび前記第２のＥＰＤＣＣＨセットにおける前記ＥＰＤＣＣＨの候補は第１のＥＰＤＣＣＨ候補数に基づいて決定されることを特徴とする請求項１に記載の移動局装置。
【請求項３】
前記所定の基準を満たすリソースエレメントの数が所定数以上である場合、前記第１のＥＰＤＣＣＨセットおよび前記第２のＥＰＤＣＣＨセットにおける前記ＥＰＤＣＣＨの候補は第２のＥＰＤＣＣＨ候補数に基づいて決定されることを特徴とする請求項２に記載の移動局装置。
【請求項４】
前記所定数は１０４であることを特徴とする請求項２または請求項３に記載の移動局装置。
【請求項５】
前記所定の基準を満たすリソースエレメントは、
前記物理リソースブロックペアにおいて、１つのサブフレーム内の最初のスロットにおけるリソースエレメントのＯＦＤＭシンボル番号が前記第１のＥＰＤＣＣＨセットに対して設定される値以上であることを少なくとも満たすリソースエレメントであることを特徴とする請求項１に記載の移動局装置。
【請求項６】
前記所定の基準を満たすリソースエレメントは、
前記物理リソースブロックペアにおける拡張リソースエレメントグループのリソースであり、セル固有参照信号またはＣＳＩ参照信号のために用いられないと想定されることを少なくとも満たすリソースエレメントであることを特徴とする請求項１に記載の移動局装置。
【請求項７】
前記第１のＥＰＤＣＣＨセットおよび前記第２のＥＰＤＣＣＨセットにおける前記ＥＰＤＣＣＨの候補は、さらに、サイクリックプレフィックスの種類と、サブフレームの種類と、モニタリングするＤＣＩフォーマットとに基づいて決定されることを特徴とする請求項１に記載の移動局装置。
【請求項８】
前記第１のＥＰＤＣＣＨ候補数は第１のアグリゲーションレベルの組み合わせに対して定義され、前記第２のＥＰＤＣＣＨ候補数は第２のアグリゲーションレベルの組み合わせに対して定義されることを特徴とする請求項３に記載の移動局装置。
【請求項９】
前記第１のアグリゲーションレベルの組み合わせはアグリゲーションレベル１を含まず、前記第２のアグリゲーションレベルの組み合わせはアグリゲーションレベル１を含むことを特徴とする請求項８に記載の移動局装置。
【請求項１０】
移動局装置と通信する基地局装置であって、
ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングするＥＰＤＣＣＨ生成部を備え、
前記第１のＥＰＤＣＣＨセットおよび前記第２のＥＰＤＣＣＨセットにおける前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする基地局装置。
【請求項１１】
前記所定の基準を満たすリソースエレメントの数が所定数より小さい場合、前記第１のＥＰＤＣＣＨセットおよび前記第２のＥＰＤＣＣＨセットにおける前記ＥＰＤＣＣＨの候補は第１のＥＰＤＣＣＨ候補数に基づいて決定されることを特徴とする請求項１０に記載の基地局装置。
【請求項１２】
前記所定の基準を満たすリソースエレメントの数が所定数以上である場合、前記第１のＥＰＤＣＣＨセットおよび前記第２のＥＰＤＣＣＨセットにおける前記ＥＰＤＣＣＨの候補は第２のＥＰＤＣＣＨ候補数に基づいて決定されることを特徴とする請求項１１に記載の基地局装置。
【請求項１３】
前記所定数は１０４であることを特徴とする請求項１１または請求項１２に記載の基地局装置。
【請求項１４】
前記所定の基準を満たすリソースエレメントは、
前記物理リソースブロックペアにおいて、１つのサブフレーム内の最初のスロットにおけるリソースエレメントのＯＦＤＭシンボル番号が前記第１のＥＰＤＣＣＨセットに対して設定される値以上であることを少なくとも満たすリソースエレメントであることを特徴とする請求項１０に記載の基地局装置。
【請求項１５】
前記所定の基準を満たすリソースエレメントは、
前記物理リソースブロックペアにおける拡張リソースエレメントグループのリソースであり、セル固有参照信号またはＣＳＩ参照信号のために用いられないと想定されることを少なくとも満たすリソースエレメントであることを特徴とする請求項１０に記載の基地局装置。
【請求項１６】
前記第１のＥＰＤＣＣＨセットおよび前記第２のＥＰＤＣＣＨセットにおける前記ＥＰＤＣＣＨの候補は、さらに、サイクリックプレフィックスの種類と、サブフレームの種類と、モニタリングするＤＣＩフォーマットとに基づいて決定されることを特徴とする請求項１０に記載の基地局装置。
【請求項１７】
前記第１のＥＰＤＣＣＨ候補数は第１のアグリゲーションレベルの組み合わせに対して定義され、前記第２のＥＰＤＣＣＨ候補数は第２のアグリゲーションレベルの組み合わせに対して定義されることを特徴とする請求項１２に記載の基地局装置。
【請求項１８】
前記第１のアグリゲーションレベルの組み合わせはアグリゲーションレベル１を含まず、前記第２のアグリゲーションレベルの組み合わせはアグリゲーションレベル１を含むことを特徴とする請求項１７に記載の基地局装置。
【請求項１９】
基地局装置と通信する移動局装置の通信方法であって、
ＲＲＣシグナリングにより設定される第１のＥＰＤＣＣＨセットおよび第２のＥＰＤＣＣＨセットのそれぞれに含まれるＥＰＤＣＣＨの候補をモニタリングし、
前記第１のＥＰＤＣＣＨセットおよび前記第２のＥＰＤＣＣＨセットにおける前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする通信方法。
【請求項２０】
移動局装置と通信する基地局装置の通信方法であって、
ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングし、
前記第１のＥＰＤＣＣＨセットおよび前記第２のＥＰＤＣＣＨセットにおける前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする通信方法。
【請求項２１】
基地局装置と通信する移動局装置に実装される集積回路であって、
ＲＲＣシグナリングにより設定される第１のＥＰＤＣＣＨセットおよび第２のＥＰＤＣＣＨセットのそれぞれに含まれるＥＰＤＣＣＨの候補をモニタリングする機能を含む一連の機能を前記移動局装置に発揮させ、
前記第１のＥＰＤＣＣＨセットおよび前記第２のＥＰＤＣＣＨセットにおける前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする集積回路。
【請求項２２】
移動局装置と通信する基地局装置に実装される集積回路であって、
ＲＲＣシグナリングにより設定される第１のＥＰＤＣＣＨセットおよび第２のＥＰＤＣＣＨセットのそれぞれに含まれるＥＰＤＣＣＨの候補の何れかにＥＰＤＣＣＨをマッピングする機能を含む一連の機能を前記基地局装置に発揮させ、
前記第１のＥＰＤＣＣＨセットおよび前記第２のＥＰＤＣＣＨセットにおける前記ＥＰＤＣＣＨの候補は、少なくとも、前記第１のＥＰＤＣＣＨセットでＥＰＤＣＣＨ送信のために設定される物理リソースブロックペアの１つにおいて、所定の基準を満たすリソースエレメントの数に基づいて決定されることを特徴とする集積回路。
【国際調査報告】
2014069598.tif 000017
2014069598.tif 000018
2014069598.tif 000019
2014069598.tif 000020